(57)【特許請求の範囲】
【請求項１】
コンテンツをコンテンツ配信装置からネットワーク経由で取得するコンテンツ取得手段と、コンテンツ受信装置が元のコンテンツによって指定された形態でコンテンツ再生を行うことができるように、前記コンテンツ取得手段で取得されたコンテンツを、該コンテンツのフォーマットと異なり、かつコンテンツ受信装置で再生可能なフォーマットのコンテンツに変換するフォーマット変換手段と、前記コンテンツ取得手段で取得されたフォーマット変換前のコンテンツと前記フォーマット変換手段により得られたコンテンツとの両方、あるいは同一のコンテンツを前記フォーマット変換手段でフォーマット変換することにより得られたフォーマットの異なる複数のコンテンツをコンテンツ受信装置へ転送するコンテンツ転送手段とを備える通信装置から転送されたコンテンツを受信するコンテンツ受信手段と、
前記コンテンツ受信手段でコンテンツが受信されると、受信されたコンテンツに基づいてコンテンツ再生を行うコンテンツ再生手段とを備え、
前記コンテンツ再生手段は、前記コンテンツ受信手段にて前記通信装置から、フォーマットが異なる複数のコンテンツが受信された場合に、それらコンテンツの中から再生に最も適したフォーマットのコンテンツを選択して再生するものであり、
前記コンテンツ再生手段は、コンテンツがコンテンツ受信手段で受信されたときに他のフォーマットのコンテンツがコンテンツ受信手段で受信されるのを待つことなく再生を開始し、その後、他のフォーマットのコンテンツがコンテンツ受信手段で受信される度に、受信したコンテンツと再生中のコンテンツとの何れがより再生に適したフォーマットであるかを判定し、より再生に適したフォーマットであると判定されたコンテンツを再生することを特徴とするコンテンツ受信装置。
【請求項２】
請求項１に記載のコンテンツ受信装置を動作させるコンテンツ受信プログラムであって、コンピュータを上記の各手段として機能させるためのコンテンツ受信プログラム。
【発明の詳細な説明】
【技術分野】
【０００１】
本発明は、通信ネットワークを介してコンテンツを取得し、取得されたコンテンツを加工してコンテンツ受信装置へ転送する通信装置に関するものである。本発明は、特に、インターネットなどの通信ネットワーク上のコンテンツサーバにアクセスしてコンテンツを取得し、取得されたコンテンツを加工して、テレビやプリンタなどのコンテンツ受信装置へ転送する携帯電話機やＰＤＡ(Personal Digital Assistant)などの携帯通信装置に関するものである。また、本発明は、上記通信装置から転送されたコンテンツを再生するコンテンツ受信装置にも関する。さらに、本発明は、通信ネットワークを介してコンテンツを取得するコンテンツ取得手段と、コンテンツをコンテンツ受信装置へ転送するコンテンツ転送手段とを備える通信装置において、コンテンツを加工してコンテンツ転送手段に送る処理をコンピュータに実行させるためのコンテンツ転送プログラムおよびそれを記録したコンピュータ読み取り可能な記録媒体にも関する。
【背景技術】
【０００２】
旧来、人々は、インターネット等の通信ネットワーク上のコンテンツ（配信情報）へアクセスする手段として、外出時に携帯電話機などの携帯通信装置（携帯型の情報通信装置）とノート型コンピュータなどのコンピュータとを接続したものを利用していた。
【０００３】
これに対し、近年では、携帯通信装置本体でコンテンツを受信および閲覧することが一般的となってきた。このような携帯通信装置では、本体のみでコンテンツの表示や閲覧ができるため、携帯性が良好である。加えて、Ｗ−ＣＤＭＡ(Wideband Code Division Multiple Access)などの高速通信方式が採用されてきたことで、通信速度が向上したことや、通信料金の低価格化および定額化によって、受信するコンテンツの情報量も大きくなる傾向にある。また、携帯通信装置は、そのハードウェアおよびソフトウェア双方の性能および機能の向上によって、デスクトップ型コンピュータと同じコンテンツを閲覧することも可能となってきている。
【０００４】
しかし、これらの携帯通信装置では、受信できるコンテンツの情報量に対して表示部のサイズが小型であるため、コンテンツが見づらい場合もある。また、受信したコンテンツをプリンタで印刷したり、デスクトップ型コンピュータで再利用したり、テレビ画面に表示して他者に見せたい場合などもある。そのため、携帯通信装置で取得したコンテンツについて他の電子装置で表示や印刷などを行うことができるように、携帯通信装置が、コンテンツを他の電子装置へ転送したり、コンテンツを取り外し可能な記録媒体へ記録したりできることが望まれていた。
【０００５】
このコンテンツの転送方法として、携帯通信装置から発信できる電子メールにコンテンツを添付して他の電子装置へ送信する方法や、取り外し可能なメモリカードへコンテンツを書き込んで他の電子装置に転送可能とする方法、携帯通信装置と他の電子装置（コンピュータなど）とをケーブルを介して接続して携帯通信装置から他の電子装置へコンテンツを転送する方法、無線通信を利用して携帯通信装置から他の電子装置へコンテンツを転送する方法、などが提案されている。
【０００６】
これらの転送方法の中でも、無線通信を利用する方法、特に、赤外線やＢｌｕｅｔｏｏｔｈ（登録商標）などを使った短距離無線通信による転送方法が注目されてきている。無線通信を利用する無線通信方式では、携帯通信装置と転送先の電子装置との双方に無線送受信装置さえあればよく、ケーブルの取り付けおよび取り外し、メモリカードの抜き差し、などといった煩わしい操作を必要としない。そのため、無線通信方式では簡単にコンテンツの転送が可能である。また、ケーブルの抜き差しによるコネクタの劣化を防ぐことができるという効果もある。
【特許文献１】特開２００１−１８８７３６号公報（２００１年７月１０日公開）
【特許文献２】特開２０００−１７２６０９号公報（２０００年６月２３日公開）
【発明の開示】
【発明が解決しようとする課題】
【０００７】
しかしながら、携帯通信装置が、取得したコンテンツをそのままコンテンツ受信装置に転送する方法では、コンテンツ受信装置が前記コンテンツを指定された形態で再生することができない場合がある。
【０００８】
例えば、携帯通信装置が取得したコンテンツが、ウェブ(Web)ページの本文（テキストコンテンツ）内にインライン画像が埋め込まれたウェブページであり、インライン画像のアドレスが相対アドレスで記述されている場合、コンテンツ受信装置は、携帯通信装置から転送されたウェブページのデータのみでは、ウェブページをインライン画像を含めて表示することができない。また、携帯通信装置が取得したコンテンツが、他のウェブページへのリンクを含むウェブページであり、リンクの参照先が相対アドレスで記述されている場合、コンテンツ受信装置は、携帯通信装置から転送されたウェブページのデータのみでは、リンク先のウェブページを表示することができない。
【０００９】
この点について、ウェブページが、ＧＩＦ形式のインライン画像（絶対ＵＲＩ(Uniform Resource Identifiers)："http://www.foo.bar/img/image.gif"）と、他のＨＴＭＬ文書（絶対ＵＲＩ："http://www.foo.bar/i/link.html"）へのリンクとを含むＨＴＭＬ文書（絶対ＵＲＩ："http://www.foo.bar/i/index.html"）である場合を例にとって、詳細に説明する。
【００１０】
ウェブページのＨＴＭＬ文書には、そのＨＴＭＬ文書における基底アドレス（相対アドレスの基準となるアドレス）を指定するＢａｓｅ要素が含まれていることもあるが、Ｂａｓｅ要素が含まれていないこともある。
【００１１】
ＨＴＭＬ文書中にＢａｓｅ要素が定義されている場合には、コンテンツ受信装置が、ＨＴＭＬ文書中の相対アドレスから、絶対アドレスを導くことができる。例えば、ＨＴＭＬ文書のソースコードが、
…
<BASE href="http://www.foo.bar/i/index.html">
…
<A HREF="/i/link.html">Link</A><BR>
<IMG SRC="/img/image.gif">
…
であるとする。この場合には、コンテンツ受信装置が、リンクの参照先の相対アドレス"/i/link.html"およびインライン画像の相対アドレス"/img/image.gif"をそれぞれＢａｓｅ要素に含まれる基底アドレス（"http://www.foo.bar/i/index.html"と組み合わせることで、リンクの参照先およびインライン画像の絶対アドレスがそれぞれ
"http://www.foo.bar/i/link.html"
"http://www.foo.bar/img/image.gif"
であると解釈することができる。結果として、コンテンツ受信装置は、ウェブページをインライン画像およびリンクを含めて完全に表示することができる。
【００１２】
一方、ＨＴＭＬ文書中にＢａｓｅ要素が定義されていない場合には、ＨＴＭＬ文書の基底アドレスは、そのＨＴＭＬ文書を取得したアドレスとなる。
【００１３】
電子装置に搭載されたウェブブラウザが、
…
<A HREF="/i/link.html">Link</A><BR>
<IMG SRC="/img/image.gif">
…
というソースコード（Ｂａｓｅ要素なし）のＨＴＭＬ文書を、"http://www.foo.bar/i/index.html"というアドレスから取得した場合、Ｂａｓｅ要素は定義されていないが、その電子装置は取得先のアドレスを認識しているので、暗にＢａｓｅ要素として、
<BASE href="http://www.foo.bar/i/index.html">
が定義されたのと同意となる。したがって、オリジナルのアドレスからＨＴＭＬ文書を取得した電子装置は、ウェブページをインライン画像およびリンクを含めて完全に表示することができる。
【００１４】
一方、上記のソースコード（Ｂａｓｅ要素なし）のＨＴＭＬ文書を、コンテンツ受信装置（電子端末）が通信装置からファイルとして転送を受けた場合、コンテンツ受信装置はそのファイルのオリジナルのアドレス、"http://www.foo.bar/i/index.html"を認識できない。そのため、コンテンツ受信装置は、Ｂａｓｅ要素として、転送されたファイルを保存したローカルメモリのアドレス、例えば"file:///receive/index.html"が暗に定義されたものとする。すると、ＨＴＭＬ文書中に含まれるリンクの参照先およびインライン画像の相対アドレスはそれぞれ、以下のような絶対アドレスに変換される。
【００１５】
"file:///receive/i/link.html"
"file:///receive/img/image.gif"
これらの絶対アドレスで示されるコンテンツ（リンク先のＨＴＭＬ文書およびインライン画像）を取得するためには、コンテンツ受信装置のローカルメモリ上における、絶対アドレスで示されるアドレスにこれらコンテンツ（リンク先のＨＴＭＬ文書およびインライン画像）が転送されている必要がある。しかし、通信装置からはこれらのコンテンツは転送されていないので、コンテンツ受信装置では、インライン画像やリンクの参照先のＨＴＭＬ文書を表示することができない。
【００１６】
本発明は、上記の問題に鑑みなされたものであり、その目的は、取得したコンテンツをコンテンツ受信装置に転送することができる通信装置において、転送先のコンテンツ受信装置がより完全な形でコンテンツを再生することを可能とする通信装置、コンテンツ転送プログラム、および記録媒体、並びに、コンテンツ該通信装置からコンテンツを受信し再生するコンテンツ受信装置を提供することにある。
【００１７】
なお、特許文献１には、情報通信端末により無線通信網を介して情報配信サーバにアクセスして配信情報を取得する通信システムにおける情報転送方法において、通信装置端末が取得した配信情報（コンテンツ）の有効利用を図るために、取得した配信情報（コンテンツ）の情報内容を画面表示するとともに、表示画面の画像データを記憶し、記憶した表示画面の画像データを他の装置へ無線転送する方法が開示されている。
【００１８】
また、特許文献２には、画面を画像データとしてクリップし、クリップした画像データを通信装置で接続された他の携帯情報端末装置に転送する手段とを備えた情報端末装置において、転送先の携帯情報端末装置の表示画面サイズや表示可能色数や補助記憶装置の空き容量等の端末情報を自動的に取得する手段を設け、この端末情報に応じて転送する画像データを処理する情報端末装置が開示されている。
【課題を解決するための手段】
【００１９】
本発明の通信装置は、上記の課題を解決するために、コンテンツをコンテンツ配信装置からネットワーク経由で取得するコンテンツ取得手段と、コンテンツ受信装置が元のコンテンツによって指定された形態でコンテンツ再生を行うことができるように、前記コンテンツ取得手段で取得されたコンテンツを加工するコンテンツ加工手段と、前記コンテンツ取得手段で取得され前記コンテンツ加工手段で加工されたコンテンツを前記コンテンツ受信装置へ転送するコンテンツ転送手段とを備えることを特徴としている。
【００２０】
上記構成によれば、コンテンツ受信装置が元のコンテンツによって指定された形態でコンテンツ再生を行うことができる。
【００２１】
なお、本願明細書において、「コンテンツ」とは、ユーザに知覚させるための情報、すなわち、文字情報、画像情報、音声情報などを指すものとする。
【００２２】
また、「コンテンツ受信装置がコンテンツ再生を行うことができる」とは、前記コンテンツ取得手段で取得されたコンテンツそのものではなく、前記コンテンツ取得手段で取得されたコンテンツをフォーマット変換（元のフォーマットとは異質なフォーマットのコンテンツに置換すること）したもの、あるいは前記コンテンツ取得手段で取得されたコンテンツ内で参照されているコンテンツ（例えば、ハイパーテキストドキュメント内のリンクで参照されているコンテンツや、ハイパーテキストドキュメント内で参照されているインラインコンテンツ）を再生しうる場合も含むものとする。
【００２３】
また、「元のコンテンツによって指定された形態」とは、コンテンツ内の情報、例えばＨＴＭＬファイル内のタグによって指定されたコンテンツ再生形態である。「元のコンテンツによって指定された形態」としては、例えば、（１）インラインコンテンツを基本コンテンツ（例えば、ウェブページや電子メールなどのハイパーテキストドキュメント）内の所定位置に埋め込んで再生する形態（基本コンテンツによって指定される）、（２）被参照コンテンツ（リンク先のコンテンツ）をリンク含有コンテンツ（例えば、ウェブページや電子メールなどのハイパーテキストドキュメント）からリンクされる形で再生する形態（リンク含有コンテンツによって指定される）などが挙げられる。（１）の形態は、例えば、複合コンテンツがＨＴＭＬファイルであり、インラインコンテンツがインライン画像ファイルである場合、ＨＴＭＬファイル内の画像タグ（<img>）によって指定される。また、（２）の形態は、例えば、リンク含有コンテンツがＨＴＭＬファイルである場合、ＨＴＭＬファイル内のアンカータグ（<A>）によって指定される。
【００２４】
ところで、引用文献１の方法では、情報通信端末が受信したコンテンツを画像に変換して他の装置へ転送するため、ウェブページなどのハイパーテキストドキュメントに含まれるリンクが欠落してしまう。そのため、引用文献１の発明では、転送先の装置が、リンク先のコンテンツを配信するコンテンツサーバにアクセスできる場合にも、ハイパーテキストドキュメントの閲覧に引き続いてリンク先のコンテンツの閲覧を行うことができなかった。
【００２５】
本発明の通信装置において、前記コンテンツ取得手段は、ネットワーク上の配信装置が配信可能な被参照コンテンツへのリンクを含むリンク含有コンテンツを前記コンテンツとして取得するものであり、前記コンテンツ加工手段は、前記コンテンツ取得手段にて取得されたコンテンツが、ネットワーク上の配信装置が配信可能な被参照コンテンツへのリンクを含むリンク含有コンテンツであり、かつ、リンクの参照先が相対アドレスで記述されている場合に、相対アドレスに対応する基底アドレスを追加するか、あるいは相対アドレスを絶対アドレスで置き換えるものであってもよい。
【００２６】
上記構成によれば、前記コンテンツ受信装置は、通信装置から、リンクの参照先の相対アドレスと共にそれに対応する基底アドレスを受信するか、あるいはリンクの参照先の絶対アドレスを受信することができる。したがって、前記コンテンツ受信装置は、受信したリンクの参照先の相対アドレスおよびそれに対応する基底アドレスに基づいて、あるいは受信したリンクの参照先の絶対アドレスに基づいて、リンクの参照先の絶対アドレスを認識することができる。そのため、前記コンテンツ受信装置は、ネットワーク上の配信装置にアクセスすることさえできれば、リンク先の被参照コンテンツを参照する指示を受けたときに、認識した絶対アドレスに基づいてリンクをたどってネットワーク上の配信装置から被参照コンテンツを取得することができる。その結果、コンテンツ受信装置は、リンク含有コンテンツおよび被参照コンテンツを元のリンク含有コンテンツによって指定された形態で再生することができる。言い換えると、コンテンツ受信装置は、コンテンツ作成者が意図した形で被参照コンテンツを再生することができる。
【００２７】
したがって、例えば、リンク含有コンテンツがＨＴＭＬ文書などのハイパーテキストドキュメントである場合、ユーザは、ハイパーテキストドキュメントを閲覧している状態で、ハイパーテキストドキュメントに含まれるリンクの参照先にジャンプする操作（例えばアンカー文字をマウスでクリックする操作）を行うことで、ハイパーテキストドキュメントの閲覧に引き続いて被参照コンテンツの閲覧を行うことができる。
【００２８】
なお、上記構成において、ネットワーク経由でコンテンツ受信装置へ被参照コンテンツを配信する配信装置は、コンテンツ配信装置であってもよく、コンテンツ配信装置とは別の装置であってもよい。
【００２９】
また、上記構成において、リンク含有コンテンツは、リンク以外のコンテンツ、例えばテキストデータを含むものであってもよく、コンテンツとしてリンクのみを含むものであってもよい。
【００３０】
本発明の通信装置において、前記コンテンツ加工手段は、前記コンテンツ取得手段にて取得されたコンテンツが、基本コンテンツと基本コンテンツ内に埋め込んで再生されるインラインコンテンツのアドレスとを含む複合コンテンツであり、かつ、インラインコンテンツのアドレスが相対アドレスで記述されている場合に、相対アドレスに対応する基底アドレスを追加するか、あるいは相対アドレスを絶対アドレスで置き換えるものであってもよい。
【００３１】
上記構成によれば、前記コンテンツ受信装置は、通信装置から、インラインコンテンツの相対アドレスと共にそれに対応する基底アドレスを受信するか、あるいはインラインコンテンツの絶対アドレスを受信することができる。したがって、前記コンテンツ受信装置は、受信したインラインコンテンツの相対アドレスおよびそれに対応する基底アドレスに基づいて、あるいは受信したインラインコンテンツの絶対アドレスに基づいて、インラインコンテンツの絶対アドレスを認識することができる。そのため、前記コンテンツ受信装置は、インラインコンテンツを配信するネットワーク上の装置にアクセスすることさえできれば、認識されたインラインコンテンツの絶対アドレスに基づいてネットワーク上の装置からインラインコンテンツを取得することができる。したがって、インラインコンテンツを基本コンテンツ（テキストコンテンツなど）内に埋め込んで再生することができる。したがって、基本コンテンツおよびインラインコンテンツを複合コンテンツによって指定された形態で再生することができる。言い換えると、コンテンツ受信装置は、コンテンツ作成者が意図した形で基本コンテンツおよびインラインコンテンツを再生することができる。
【００３２】
なお、上記構成における複合コンテンツとしては、例えば、基本コンテンツとしてのテキストコンテンツとインラインコンテンツのアドレスとを含むハイパーテキストドキュメント（ＨＴＭＬ文書等）が挙げられる。上記インラインコンテンツとしては、基本コンテンツとしてのテキストコンテンツ内に埋め込んで表示されるインライン画像や、基本コンテンツとしてのテキストコンテンツを表示している間に再生される音声コンテンツ等が挙げられる。
【００３３】
また、インラインコンテンツを配信するネットワーク上の装置は、コンテンツ配信装置であってもよく、コンテンツ配信装置とは別の装置であってもよい。
【００３４】
本発明の通信装置において、前記コンテンツ加工手段は、前記コンテンツ取得手段で取得されたコンテンツに対して、前記コンテンツ受信装置が前記コンテンツ配信装置からネットワーク経由でコンテンツを取得するためのアドレス情報を付加するものであってもよい。
【００３５】
上記構成によれば、前記コンテンツ受信装置が、コンテンツおよびアドレス情報を通信装置から受信すると共に、受信したアドレス情報に基づいて前記コンテンツ配信装置からネットワーク経由でコンテンツを取得することができる。
【００３６】
それゆえ、コンテンツ受信装置は、通信装置から転送されたコンテンツをそのまま再生するだけではコンテンツを指定された形態で再生することができない場合であっても、アドレス情報に基づいて前記コンテンツ配信装置からネットワーク経由でコンテンツを取得することで、リンク先のコンテンツを元のリンク含有コンテンツによって指定された形態で再生することができる。
【００３７】
例えば、前記コンテンツ取得手段によって取得されたコンテンツが、ネットワーク上の配信装置が配信可能な被参照コンテンツへの、相対アドレスで参照先が記述されたリンクを含むもの（リンク含有コンテンツ）である場合、コンテンツ受信装置は、通信装置から転送されたリンク含有コンテンツをそのまま再生するだけでは被参照コンテンツを再生することができない。しかしながら、上記構成では、そのような場合であっても、コンテンツ受信装置は、アドレス情報に基づいて前記コンテンツ配信装置からネットワーク経由でリンク含有コンテンツを取得し、アドレス情報とリンクの参照先の相対アドレスとに基づいて前記配信装置から被参照コンテンツを取得することで、被参照コンテンツを再生することができる。
【００３８】
また、前記コンテンツ取得手段によって取得されたコンテンツが、基本コンテンツと基本コンテンツ内に埋め込んで表示されるインラインコンテンツのアドレスとを含む複合コンテンツであり、インラインコンテンツのアドレスが相対アドレスで記述されている場合、コンテンツ受信装置は、通信装置から転送されたリンク含有コンテンツをそのまま再生するだけではインラインコンテンツを再生することができない。しかしながら、上記構成では、そのような場合であっても、コンテンツ受信装置は、アドレス情報に基づいて前記コンテンツ配信装置からネットワーク経由で複合コンテンツを取得し、アドレス情報とインラインコンテンツの相対アドレスとに基づいて前記配信装置からインラインコンテンツを取得し、インラインコンテンツを再生することができる。
【００３９】
また、上記構成によれば、コンテンツ受信装置は、通信装置から転送されたコンテンツをそのまま再生することで、前記コンテンツ配信装置にアクセスすることなくコンテンツの一部（リンク含有コンテンツや基本コンテンツなど）を再生することができる。
【００４０】
なお、前記コンテンツ加工手段は、アドレス情報をコンテンツへのリンクとしてコンテンツに付加するものであることが好ましい。
【００４１】
本発明の通信装置において、前記コンテンツ加工手段は、前記コンテンツ取得手段で取得されたコンテンツを、前記コンテンツ受信装置が前記配信装置からネットワーク経由でコンテンツを取得するためのアドレス情報に変換するものであってもよい。
【００４２】
上記構成によれば、前記コンテンツ受信装置が、アドレス情報を通信装置から受信すると共に、受信したアドレス情報に基づいて前記コンテンツ配信装置からネットワーク経由でコンテンツを取得することができる。
【００４３】
それゆえ、コンテンツ受信装置は、通信装置から転送されたコンテンツをそのまま再生するだけではコンテンツを指定された形態で再生することができない場合であっても、アドレス情報に基づいて前記コンテンツ配信装置からネットワーク経由でコンテンツを取得することで、リンク先のコンテンツを元のリンク含有コンテンツによって指定された形態で再生することができる。
【００４４】
例えば、前記コンテンツ取得手段によって取得されたコンテンツが、ネットワーク上の配信装置が配信可能な被参照コンテンツへの、相対アドレスで参照先が記述されたリンクを含むもの（リンク含有コンテンツ）である場合、コンテンツ受信装置は、通信装置から転送されたリンク含有コンテンツをそのまま再生するだけでは被参照コンテンツを再生することができない。しかしながら、上記構成では、そのような場合であっても、コンテンツ受信装置は、アドレス情報に基づいて前記コンテンツ配信装置からネットワーク経由でリンク含有コンテンツを取得し、アドレス情報とリンクの参照先の相対アドレスとに基づいて前記配信装置から被参照コンテンツを取得することで、被参照コンテンツを再生することができる。
【００４５】
また、前記コンテンツ取得手段によって取得されたコンテンツが、基本コンテンツと基本コンテンツ内に埋め込んで表示されるインラインコンテンツのアドレスとを含む複合コンテンツであり、インラインコンテンツのアドレスが相対アドレスで記述されている場合、コンテンツ受信装置は、通信装置から転送されたリンク含有コンテンツをそのまま再生するだけではインラインコンテンツを再生することができない。しかしながら、上記構成では、そのような場合であっても、コンテンツ受信装置は、アドレス情報に基づいて前記コンテンツ配信装置からネットワーク経由で複合コンテンツを取得し、アドレス情報とインラインコンテンツの相対アドレスとに基づいて前記配信装置からインラインコンテンツを取得し、インラインコンテンツを再生することができる。
【００４６】
なお、前記コンテンツ加工手段は、コンテンツをアドレス情報に変換する場合、コンテンツをコンテンツへのリンクに変換することが好ましい。
【００４７】
本発明の通信装置において、前記コンテンツ加工手段は、前記コンテンツ取得手段で複数のコンテンツが取得された場合に、これら複数のコンテンツを統合するものであってもよい。
【００４８】
上記構成によれば、通信装置からコンテンツ受信装置へ転送するコンテンツの数を削減することができる。
【００４９】
コンテンツの転送には、コンテンツの転送を行う時間以外に、通信を開始・終了するための処理時間が必要になる。上記構成によれば、コンテンツの数を削減することができるので、上記の転送以外に使われる時間、すなわちコンテンツ転送における通信時間のオーバーヘッドを減らすことができる。例えば、３つのコンテンツを１つのコンテンツとしてまとめて転送することができれば、オーバーヘッドは３回分から１回分に、すなわち、２回分減らすことができる。これによって、全体でコンテンツを転送する時間を短くすることができる。
【００５０】
また、上記構成によれば、コンテンツの数を削減することができるので、転送先のコンテンツ受信装置では複数のコンテンツを別々に管理する必要がなくなる。そのため、コンテンツ受信装置内における転送されたコンテンツを記憶する部分の構成を簡素化することができる。
【００５１】
本発明の通信装置において、前記コンテンツ加工手段は、前記コンテンツ取得手段で取得されたコンテンツを、該コンテンツのフォーマットと異なり、かつコンテンツ受信装置で再生可能なフォーマットのコンテンツに変換するフォーマット変換手段を含んでいてもよい。
【００５２】
上記構成によれば、取得したコンテンツをそのままコンテンツ受信装置へ転送するのではなく、取得したコンテンツを、該コンテンツのフォーマットと異なり、かつコンテンツ受信装置で再生可能なフォーマットのコンテンツに変換してコンテンツ受信装置へ転送するようになっている。これにより、コンテンツ受信装置が、通信装置から受信したコンテンツを再生不可能な場合であっても、コンテンツ受信装置がコンテンツを再生できる。
【００５３】
また、上記構成によれば、前記コンテンツ取得手段で取得されたコンテンツが、テキストコンテンツとテキストコンテンツ内に埋め込んで再生されるインラインコンテンツのアドレス情報とインラインコンテンツとを含む複合コンテンツであり、かつ、アドレス情報が相対アドレスで記述されている場合であっても、コンテンツ受信装置は、複合コンテンツを異なるフォーマット（例えば画像）に変換したものを受信し再生することができるので、インラインコンテンツをテキストコンテンツ内に埋め込んだ形態で再生するのとほぼ等しいコンテンツ再生を行うことができる。
【００５４】
ここで、コンテンツ受信装置がコンテンツを再生するのに適したフォーマットのコンテンツとは、例えば、コンテンツ受信装置がネットワークへの接続が可能で、元のコンテンツを取得することが可能である場合には、元のコンテンツを取得するためのアドレス情報を含むコンテンツなどであり、また、コンテンツ受信装置がネットワークへの接続が可能でない場合には、通信装置が取得したコンテンツの表示画面の画像データなどである。
【００５５】
なお、上記フォーマット変換手段を含む構成においては、転送先のコンテンツ受信装置との間で双方向通信を行うことによりコンテンツ受信装置の情報を取得し、その情報に基づいて、同一の内容に関し、フォーマットが異なる複数のコンテンツの中からコンテンツ受信装置がコンテンツを再生するのに適したフォーマットのコンテンツを選択し、コンテンツ受信装置へ送信してもよい。
【００５６】
本発明の通信装置において、前記コンテンツ加工手段は、前記コンテンツ取得手段で取得されたコンテンツを再生するための再生データを作成する再生データ作成手段と、再生データを、再生データのフォーマットと異なり、かつコンテンツ受信装置で再生可能なフォーマットのコンテンツに変換するフォーマット変換手段とを含んでいてもよい。
【００５７】
上記構成によれば、コンテンツ受信装置が、コンテンツを再生するための再生データを異なるフォーマットに変換したものを受信することができる。したがって、前記コンテンツ取得手段で取得されたコンテンツが、テキストコンテンツとテキストコンテンツ内に埋め込んで表示されるインラインコンテンツのアドレス情報とを含む複合コンテンツであり、かつ、アドレス情報が相対アドレスで記述されている場合であっても、コンテンツを実質的に再生することができる。
【００５８】
また、上記構成によれば、再生データ作成手段は、コンテンツ取得手段で取得されたコンテンツを転送のために加工する処理と、コンテンツ取得手段で取得されたコンテンツを再生するための処理とに共用されるので、通信装置の構成を簡素化することができる。例えば、上記構成の通信装置は、コンテンツ取得手段および再生データ作成手段を備える既存の通信装置に対して、フォーマット変換手段およびコンテンツ転送手段を追加するだけで容易に実現することができる。
【００５９】
また、上記構成によれば、再生データをそのままコンテンツ受信装置へ転送するのではなく、再生データを、再生データのフォーマットと異なり、かつコンテンツ受信装置で再生可能なフォーマットのコンテンツに変換してコンテンツ受信装置へ転送するようになっている。これにより、コンテンツ受信装置が再生データを再生不可能な場合であっても、コンテンツ受信装置がコンテンツを再生できる。
【００６０】
前記コンテンツ加工手段が再生データ作成手段とフォーマット変換手段とを含む通信装置において、前記再生データ作成手段は、前記コンテンツを表示装置で表示させるための表示画像データを前記再生データとして作成する表示画像作成手段であり、前記フォーマット変換手段は、表示画像作成手段で作成された表示画像データの少なくとも一部を圧縮することで、コンテンツ受信装置で再生可能なフォーマットのコンテンツを作成する画像変換手段を含んでいてもよい。
【００６１】
上記構成によれば、コンテンツ受信装置が、文字コンテンツを含むコンテンツ（例えばウェブページ）などのコンテンツを表示装置で表示させるための表示画像データの少なくとも一部を圧縮したものを受信することができる。したがって、コンテンツ受信装置が、コンテンツの少なくとも一部を実質的に表示することができる。
【００６２】
また、上記構成によれば、画像変換手段は、表示画像作成手段で作成された表示画像データの少なくとも一部をコンテンツ受信装置で再生可能なフォーマットのコンテンツとなるように圧縮するので、特許文献１に記載されている、取得したコンテンツの情報内容を画面表示した表示画面の画像データ（例えばビットマップの画像データ）をそのまま他の装置へ無線転送する情報通信端末と比較して、コンテンツ受信装置へ転送するデータの量を削減することができる。したがって、コンテンツ受信装置へのコンテンツの転送を短時間で行うことができる。
【００６３】
ところで、特許文献１に記載の方法は、活用できるコンテンツが画面表示できるものに限られるため、転送先の装置もプリンタなどの印刷装置に限られてしまっていた。
【００６４】
前記コンテンツ加工手段がフォーマット変換手段を含む通信装置において、前記フォーマット変換手段は、前記コンテンツ取得手段で取得されたコンテンツの少なくとも一部を音声化する音声変換手段であってもよい。
【００６５】
上記構成によれば、コンテンツ受信装置が、コンテンツの少なくとも一部を音声化したものを受信し、再生することができる。また、上記構成によれば、コンテンツ受信装置は、音声化されたコンテンツを扱う機能さえ備えていれば、フォーマットにかかわらずコンテンツを再生することができる。したがって、上記構成は、転送先の装置が印刷装置に限られる特許文献１の発明と異なり、転送先のコンテンツ受信装置が音声出力装置や音声信号出力装置である場合にも適用できる。
【００６６】
前記コンテンツ加工手段がフォーマット変換手段を含む通信装置において、前記フォーマット変換手段は、前記コンテンツに一部として含まれる特定の種類の情報を抽出し、抽出された特定の種類の情報を、前記コンテンツと異なるフォーマットであり、かつコンテンツ受信装置で再生可能なフォーマットのコンテンツに変換するものであってもよい。
【００６７】
上記構成によれば、前記フォーマット変換手段は、前記コンテンツに一部として含まれる特定の種類の情報を抽出し、抽出された特定の種類の情報を、前記コンテンツと異なるフォーマットであり、かつコンテンツ受信装置で再生可能なフォーマットのコンテンツに変換する。したがって、コンテンツの全体をフォーマット変換する場合や、特許文献１に記載されている、取得したコンテンツの情報内容を画面表示した表示画面の画像データ（例えばビットマップの画像データ）をそのまま他の装置へ無線転送する場合と比較して、コンテンツ受信装置へ転送するデータの量を削減することができる。したがって、コンテンツ受信装置へのコンテンツの転送を短時間で行うことができる。
【００６８】
前記コンテンツ加工手段がフォーマット変換手段を含む通信装置において、前記コンテンツ取得手段で取得されたフォーマット変換前のコンテンツをコンテンツ受信装置へ転送するか、前記フォーマット変換手段により得られたコンテンツをコンテンツ受信装置へ転送するか、前記コンテンツ取得手段で取得されたフォーマット変換前のコンテンツと前記フォーマット変換手段により得られたコンテンツとの両方をコンテンツ受信装置へ転送するかを選択する選択手段をさらに備えていてもよい。
【００６９】
上記構成によれば、ユーザまたはコンテンツ受信装置内の制御手段が、ユーザの要望やコンテンツ受信装置のタイプ等に応じて、前記コンテンツ転送手段によってコンテンツ受信装置へ転送させるコンテンツを、（１）フォーマット変換前のコンテンツ、（２）フォーマット変換後のコンテンツ、（３）フォーマット変換前のコンテンツおよびフォーマット変換後のコンテンツの両方から選択することができる。
【００７０】
例えば、フォーマット変換前のコンテンツがコンテンツ受信装置において完全な形で再生できるコンテンツ（例えば、それ自体の基底アドレスを含むウェブページや、アドレスが絶対アドレスで記述されているウェブページ、インラインコンテンツもリンクも含まないウェブページ等）である場合には、転送させるコンテンツとしてフォーマット変換前のコンテンツを選択すると、コンテンツを元の形態で再生できる。また、例えば、コンテンツ受信装置がフォーマット変換前のコンテンツを再生できない装置である場合や、コンテンツ受信装置がフォーマット変換前のコンテンツの一部を再生できない場合（例えばウェブページのテキスト部分しか表示できずインライン画像が表示できない場合）には、転送させるコンテンツとしてフォーマット変換後のコンテンツを選択すると、コンテンツ全体を実質的に再生できる。また、コンテンツ受信装置が、フォーマットの異なる複数のコンテンツの中から再生に最も適したフォーマットのコンテンツを選択して再生することができる場合、転送させるコンテンツとしてフォーマット変換前のコンテンツおよびフォーマット変換後のコンテンツの両方を選択すると、コンテンツ受信装置が、より再生に適したフォーマットのコンテンツを選択して再生することができる。
【００７１】
なお、上記選択手段は、３つの選択肢から１つを選択するものであったが、これら３つのうちの２つの選択肢から１つを選択するものであってもよい。
【００７２】
前記コンテンツ加工手段がフォーマット変換手段を含む通信装置において、前記コンテンツ転送手段は、前記コンテンツ取得手段で取得されたフォーマット変換前のコンテンツと前記フォーマット変換手段により得られたコンテンツとの両方、あるいは同一のコンテンツを前記フォーマット変換手段でフォーマット変換することにより得られたフォーマットの異なる複数のコンテンツをコンテンツ受信装置へ転送するものであってもよい。
【００７３】
上記構成によれば、コンテンツ受信装置が、同一の内容に関し、フォーマットが異なる複数のコンテンツ（前記コンテンツ取得手段で取得されたフォーマット変換前のコンテンツと前記フォーマット変換手段により得られたコンテンツとの両方、あるいは同一のコンテンツを前記フォーマット変換手段でフォーマット変換することにより得られたフォーマットの異なる複数のコンテンツ）の中から、より再生に適したフォーマットのコンテンツを選択して再生することができる。
【００７４】
また、上記構成は、コンテンツ受信装置との通信を片方向通信にすることができるので、通信手順を簡素化することができる。
【００７５】
ところで、特許文献２の方法では、転送元と転送先とで双方向に情報の交換を行うため、ＩｒＳＣ(Infrared Simple Connection)で定義される通信手順を簡素化することで高速化された片方向通信では利用することができない。
【００７６】
本発明の通信装置において、前記コンテンツ転送手段は、片方向通信によってコンテンツを転送するものであることが好ましい。
【００７７】
上記構成によれば、両方向通信を用いる場合と比較して、コンテンツを転送するための通信手順を簡素化することができるので、コンテンツの転送速度を向上させることができる。
【００７８】
上記片方向通信としては、片方向無線通信が好ましい。無線通信を利用する無線通信方式では、携帯通信装置と転送先のコンテンツ受信装置との双方に無線送受信装置さえあればよく、ケーブルの取り付けおよび取り外し、メモリカードの抜き差し、などといった煩わしい操作を必要としない。そのため、無線通信方式では簡単にコンテンツの転送が可能である。
【００７９】
上記片方向無線通信としては、ＩｒＳＣ通信（通信手順を簡素化することで高速化された片方向の赤外線通信）が最も好ましい。これにより、通信手順をより一層簡素化して、コンテンツの転送速度をより一層向上させることができる。
【００８０】
本発明の通信装置は、携帯電話機であってもよい。
【００８１】
上記構成によれば、例えば、ユーザが外出先で携帯電話機を使用しているときに、携帯電話機で取得したコンテンツを自宅のコンテンツ受信装置に転送することができる。
【００８２】
本発明のコンテンツ受信装置は、本発明の通信装置から転送されたコンテンツを受信するコンテンツ受信手段と、前記コンテンツ受信手段でコンテンツが受信されると、受信されたコンテンツに基づいてコンテンツ再生を行うコンテンツ再生手段とを備えることを特徴としている。
【００８３】
上記構成によれば、元のコンテンツによって指定された形態でコンテンツ再生を行うことができる。
【００８４】
本発明のコンテンツ受信装置は、コンテンツ加工手段が、コンテンツ取得手段で取得されたコンテンツに対して、コンテンツ受信装置がコンテンツ配信装置からネットワーク経由でコンテンツを取得するためのアドレス情報を付加する構成である本発明の通信装置から転送されたコンテンツを受信するコンテンツ受信手段と、前記コンテンツ受信手段でコンテンツが受信されると、受信されたコンテンツに基づいてコンテンツ再生を行うコンテンツ再生手段とを備え、前記コンテンツ再生手段は、受信されたコンテンツに前記アドレス情報が付加されていれば、前記アドレス情報を抽出し、前記アドレス情報に基づいて自動的にコンテンツ配信装置からネットワーク経由でコンテンツを取得する第１の取得手段を含むことを特徴としている。
【００８５】
上記構成によれば、ユーザが操作を行うことなく、コンテンツ配信装置からネットワーク経由でコンテンツを取得し、取得したコンテンツによって指定された形態で取得したコンテンツを再生することができる。
【００８６】
本発明のコンテンツ受信装置は、コンテンツ加工手段が、コンテンツ取得手段で取得されたコンテンツに対して、コンテンツ受信装置がコンテンツ配信装置からネットワーク経由でコンテンツを取得するためのアドレス情報を付加する構成である本発明の通信装置から転送されたコンテンツを受信するコンテンツ受信手段と、前記コンテンツ受信手段でコンテンツが受信されると、受信されたコンテンツに基づいてコンテンツ再生を行うコンテンツ再生手段とを備え、前記コンテンツ再生手段は、受信されたコンテンツに前記アドレス情報が付加されていれば、前記アドレス情報を抽出し、前記コンテンツ配信装置からネットワーク経由でコンテンツを取得するか否かをユーザに問い合わせ、コンテンツ配信装置からネットワーク経由でコンテンツを取得することがユーザから要求された場合に、前記アドレス情報に基づいてコンテンツ配信装置からネットワーク経由でコンテンツを取得する第２の取得手段を含むことを特徴としている。
【００８７】
上記構成によれば、ユーザがコンテンツ配信装置からネットワーク経由でコンテンツを取得することを要求したときに、コンテンツ配信装置からネットワーク経由でコンテンツを取得し、取得したコンテンツによって指定された形態で取得したコンテンツを再生することができる。一方、ユーザがコンテンツ配信装置からネットワーク経由でコンテンツを取得することを要求しないときには、コンテンツ受信手段で受信されたコンテンツを再生することで、速やかにコンテンツを再生することができる。
【００８８】
コンテンツ加工手段が、コンテンツ取得手段で取得されたコンテンツを、該コンテンツのフォーマットと異なり、かつコンテンツ受信装置で再生可能なフォーマットのコンテンツに変換するフォーマット変換手段を含み、コンテンツ転送手段が、コンテンツ取得手段で取得されたフォーマット変換前のコンテンツとフォーマット変換手段により得られたコンテンツとの両方、あるいは同一のコンテンツをフォーマット変換手段でフォーマット変換することにより得られたフォーマットの異なる複数のコンテンツをコンテンツ受信装置へ転送する構成である本発明の通信装置から転送されたコンテンツを受信するコンテンツ受信手段と、前記コンテンツ受信手段でコンテンツが受信されると、受信されたコンテンツに基づいてコンテンツ再生を行うコンテンツ再生手段とを備え、前記コンテンツ再生手段は、前記コンテンツ受信手段にて前記通信装置から、フォーマットが異なる複数のコンテンツが受信された場合に、それらコンテンツの中から再生に最も適したフォーマットのコンテンツを選択して再生することを特徴としている。
【００８９】
上記構成によれば、フォーマットが異なる複数のコンテンツ（前記コンテンツ取得手段で取得されたフォーマット変換前のコンテンツと前記フォーマット変換手段により得られたコンテンツとの両方、あるいは前記フォーマット変換手段により得られたフォーマットが異なる複数のコンテンツ）の中から、より再生に適したフォーマットのコンテンツを選択して再生することができる。
【００９０】
また、上記構成では、通信装置がコンテンツ受信装置に関する表示画面サイズや表示可能色数や補助記憶装置の空き容量等の情報をコンテンツ受信装置から取得する必要がないので、コンテンツの通信装置のコンテンツ転送手段が、片方向無線通信によってコンテンツを転送することができる。それゆえ、通信手順を簡素化できるので、コンテンツの転送速度を向上させることができる。
【００９１】
本発明のコンテンツ受信装置おいて、前記コンテンツ再生手段は、コンテンツがコンテにンツ受信手段で受信されたときに他のフォーマットのコンテンツがコンテンツ受信手段で受信されるのを待つことなく再生を開始し、その後、他のフォーマットのコンテンツがコンテンツ受信手段で受信される度に、受信したコンテンツと再生中のコンテンツとの何れがより再生に適したフォーマットであるかを判定し、より再生に適したフォーマットであると判定されたコンテンツを再生するものであってもよい。
【００９２】
上記構成によれば、他のフォーマットのコンテンツがコンテンツ受信手段で受信されるのを待つことなく再生を開始するので、他のフォーマットのコンテンツを受信してから再生を開始する構成と比較して、コンテンツ受信開始から最初のコンテンツ再生までにかかる時間を短縮することができる。
【００９３】
本発明のコンテンツ受信装置は、コンテンツを表示する表示手段を含むコンテンツ再生手段を備える表示装置であってもよい。
【００９４】
上記構成によれば、コンテンツを表示することができる。
【００９５】
本発明のコンテンツ受信装置は、コンテンツを印刷する印刷手段を含むコンテンツ再生手段を備えるプリンタであってもよい。
【００９６】
上記構成によれば、コンテンツを印刷することができる。
【００９７】
本発明のコンテンツ転送プログラムは、通信ネットワークを介してコンテンツを取得するコンテンツ取得手段と、コンテンツをコンテンツ受信装置へ転送するコンテンツ転送手段とを備える通信装置において、コンテンツを加工してコンテンツ転送手段に送る処理をコンピュータに実行させるためのコンテンツ転送プログラムであって、コンテンツ受信装置が元のコンテンツによって指定された形態でコンテンツ再生を行うことができるように、前記コンテンツ取得手段で取得されたコンテンツを加工するコンテンツ加工手段、および前記コンテンツ取得手段で取得され前記コンテンツ加工手段で加工されたコンテンツを、前記コンテンツ受信装置へ転送するデータとしてコンテンツ転送手段に送るデータ転送手段としてコンピュータを機能させるためのものである。
【００９８】
上記構成のコンテンツ転送プログラムが、通信ネットワークを介してコンテンツを取得するコンテンツ取得手段と、コンテンツをコンテンツ受信装置へ転送するコンテンツ転送手段とを備える通信装置に導入されることで、本発明の通信装置がソフトウェア的に実現できる。
【００９９】
本発明の記録媒体は、上記コンテンツ転送プログラムを記録した、コンピュータ読み取り可能な記録媒体である。
【０１００】
上記構成の記録媒体からコンテンツ転送プログラムが読み取られ、コンテンツ転送プログラムが、通信ネットワークを介してコンテンツを取得するコンテンツ取得手段と、コンテンツをコンテンツ受信装置へ転送するコンテンツ転送手段とを備える通信装置に導入されることで、本発明の通信装置がソフトウェア的に実現できる。
【発明の効果】
【０１０１】
本発明は、転送先のコンテンツ受信装置がより完全な形でコンテンツを再生することを可能とする通信装置、コンテンツ転送プログラム、および記録媒体、並びに、コンテンツ該通信装置からコンテンツを受信し再生するコンテンツ受信装置を提供できるという効果を奏する。
【発明を実施するための最良の形態】
【０１０２】
以下、図面を用いて本発明の実施の一形態について詳細に説明する。以下の説明では、同じ機能を持つ部材（部品、機能ブロックなど）には、同じ参照符号および名称を付している。したがって、それらについての詳細な説明を繰返すことはしない。
【０１０３】
なお、以下の実施の形態および特許請求の範囲の記載において、コンテンツの「再生」とは、コンテンツを人間が知覚可能な形態（画像や音声など）で出力するか、あるいはコンテンツを人間が知覚可能な形態で出力するための信号（映像信号、印刷データ信号、音声信号など）を出力することを指す。すなわち、コンテンツの「再生」とは、静止画像データの表示、動画データの再生またはその一部を静止画にしたものの表示、静止画像データおよび／または動画データからの映像信号（例えばアナログ映像信号）の生成および出力、音楽データ（例えば、ＭＰ３(MPEG-1 Audio Layer 3)形式の圧縮音声データ）からの音声信号（例えばアナログ音声信号）の生成および出力、などを指すものとする。
【０１０４】
〔第１の実施の形態〕
図２に、本発明の一実施形態に係る情報システム（コンテンツ再生システム）の概略構成を示す。図２を参照して、この情報システムは、インターネット上のコンテンツサーバ（コンテンツ配信装置、配信装置）１（典型的にはウェブサーバまたはメールサーバ）から、携帯電話網およびインターネット（ネットワーク）２０を介したインターネット通信２によりウェブページ４０などのコンテンツ（コンテンツデータ）をダウンロードする機能と、ＩｒＳＣ(Infrared Simple Connect)通信（片方向通信）４によりコンテンツを液晶テレビ８に伝送する機能とを有する携帯電話機（通信装置）３と、再生（表示や音声出力など）が可能なコンテンツを携帯電話機３からＩｒＳＣ通信４により受信すると、コンテンツの再生（表示や音声出力など）を開始する機能を持つ液晶テレビ（コンテンツ受信装置）８とを含む。
【０１０５】
本実施形態の携帯電話機３は、（１）ネットワーク上の配信装置が配信可能な被参照コンテンツへのリンクを含むリンク含有コンテンツ；および（２）テキストコンテンツとテキストコンテンツ内に埋め込んで表示されるインラインコンテンツのアドレスとを含む複合コンテンツを取得しうるものである。（１）のリンク含有コンテンツとしては、ネットワーク上のウェブサーバ（配信装置）が配信可能な他のウェブページなど（被参照コンテンツ）へのリンクを含むウェブページ４０、ネットワーク上のメールサーバ（配信装置）が配信可能な写真や音声などのコンテンツを添付ファイルとして持つ電子メール、ネットワーク上のウェブサーバ（配信装置）が配信可能なウェブページなど（被参照コンテンツ）へのリンクを含むＨＴＭＬ形式の電子メールなどが挙げられる。（２）の複合コンテンツとしては、インライン画像などのインラインコンテンツがテキストコンテンツ内に埋め込まれたウェブページ４０や、インライン画像などのインラインコンテンツがテキストコンテンツ内に埋め込まれたＨＴＭＬ形式の電子メールなどが挙げられる。なお、本発明の通信装置は、（１）および（２）のコンテンツの何れか一方のみを取得しうるものであってもよく、（１）および（２）以外のコンテンツを取得しうるものであってもよい。
【０１０６】
携帯電話機３は、携帯電話網およびインターネット２０を介してコンテンツサーバ１から、ウェブページ４０などのコンテンツをダウンロード（取得）する機能と、コンテンツを再生する機能、例えばコンテンツを画像４２として表示する機能とを持つ。
【０１０７】
さらに、携帯電話機３は、ダウンロードした画像４２などのコンテンツのうち、ユーザにより転送するコンテンツとして指定されたものを加工してＩｒＳＣ通信４を介して液晶テレビ８に送信する機能を持つ。
【０１０８】
液晶テレビ８は、携帯電話機３からＩｒＳＣ通信４により加工後のコンテンツを受信するための、フォトディテクタを含むＩｒＳＣ通信部（コンテンツ受信手段）５と、リモートコントローラ（以後「リモコン」と称する）６からの赤外線通信信号（リモコン操作信号）７を受信するための、フォトディテクタを含む赤外線受光部９とを有する。液晶テレビ８は、ＩｒＳＣ通信部５を介してコンテンツを受信したことに応答し、そのコンテンツが自己で処理可能なものであれば対応の機能を起動してそのコンテンツを再生（表示や音声出力など）する。液晶テレビ８は、携帯電話網およびインターネット２０のうちのインターネット（ネットワーク）を介したインターネット通信１０により、コンテンツサーバ１から、ウェブページ４０などのコンテンツをダウンロード（取得）することもできるようになっている。
【０１０９】
図３を参照して、携帯電話機３の操作のための構成と、上記した動作を行なう際の携帯電話機３に対するユーザの操作とを説明する。ここでは、コンテンツが、ウェブページ４０等のような、表示可能なコンテンツ（以下、「表示コンテンツ」と称する）である例について説明する。
【０１１０】
図３を参照して、携帯電話機３は、概略長方形の平面形状を有する本体１０２と、液晶表示部（表示装置）１１０を有し本体１０２の一辺にヒンジを介して回動可能に取付けられた蓋部１００とを含む。
【０１１１】
本体１０２の操作面上には、０〜９までの数字および記号「＃」「＊」を入力するためのテンキー１４０と、画面表示にあわせて種々の機能が割当てられる４つのファンクションキー１４４と、センタープッシュボタン付の４方向プッシュスイッチ１４２と、電源キー、発呼キーなどからなる基本キー１４６とが設けられている。
【０１１２】
液晶表示部１１０には、中央にウェブページ４０等の表示コンテンツを含む画像４２（コンテンツ）が表示され、４隅に、４つのファンクションキー１４４の機能をそれぞれ、前、次、終了、および送信と示す指示メッセージ１２２、１２４、１２６、１２８が表示される。４つのファンクションキー１４４には、これら指示メッセージ１２２、１２４、１２６、１２８により表示される機能がそれぞれプログラムにより割当てられる。
【０１１３】
ユーザがウェブページ４０（コンテンツ）の受信を行うと、図３に示すように、液晶表示部１１０にウェブページ４０等の表示コンテンツを含む画像４２（コンテンツ）が表示される。ユーザが、指示メッセージ１２８の指示にあわせてファンクションキー１４４を使用して「送信」を指示すると、液晶表示部１１０に表示されている画像４２（コンテンツ）が加工され、ＩｒＳＣ通信４を介して液晶テレビ８に転送される。転送された画像（コンテンツ）は、液晶テレビ８にて、画像４４として表示される。
【０１１４】
なお、コンテンツが表示コンテンツ以外の場合においても、コンテンツの出力形態を除いて同様である。例えば、コンテンツが音楽コンテンツを含む場合には、音楽コンテンツが携帯電話機３から音声として出力され、ユーザが「送信」を指示すると、携帯電話機３から出力されている音楽コンテンツが加工されて液晶テレビ８に転送される。転送された音楽コンテンツは、液晶テレビ８から音声として出力される。
【０１１５】
以下、上に述べたような動作を行う情報システムを構成する携帯電話機３および液晶テレビ８の構成について説明する。
【０１１６】
図１に、携帯電話機３の機能的構成をブロック図の形式で示す。図１を参照して、携帯電話機３は、無線通信部（コンテンツ取得手段）１６０と、赤外線通信部（コンテンツ転送手段）１６２と、無線通信部１６０を介して受信したコンテンツを記憶するコンテンツ記憶部１６６と、無線通信部１６０を介して受信したコンテンツを加工した転送データを記憶するための転送データ記憶部１６８と、無線通信部１６０を介して受信したコンテンツを加工して転送データを作成するためのコンテンツ加工部（コンテンツ加工手段）１６４と、ユーザによる操作入力を受けるためのキー入力部１６１（図３に示すテンキー１４０、ファンクションキー１４４、４方向プッシュスイッチ１４２、および基本キー１４６を含む）と、コンテンツの内容を液晶表示部１１０に表示するコンテンツ表示部（再生データ作成手段、表示画像作成手段）１６５と、キー入力部１６１から与えられたユーザ指示に基づき、所定のプログラムにしたがって携帯電話機３内の各機能部（コンテンツ加工部１６４およびコンテンツ表示部１６５）を制御するとともに、携帯電話機３内におけるデータの移動を制御するための制御部１７０とを含む。
【０１１７】
無線通信部１６０は、携帯電話網を介して他の携帯電話機と通信する機能と、携帯電話網およびインターネット２０を通じてインターネット上のコンテンツサーバ１等のサーバと通信し、コンテンツサーバ１等のサーバからコンテンツを取得するコンテンツ取得手段としての機能とを備える。
【０１１８】
赤外線通信部１６２は、液晶テレビ８とＩｒＳＣ通信を行うことで、コンテンツ加工部１６４で加工されたコンテンツを液晶テレビ８へ転送するものである。赤外線通信部１６２は、前記の赤外線受光部９を含んでいる。
【０１１９】
コンテンツ表示部１６５は、無線通信部１６０で取得されたコンテンツを液晶表示部１１０で表示させるための表示画像データ（再生データ）を作成するものである。
【０１２０】
コンテンツ加工部１６４は、液晶テレビ８が元のコンテンツによって指定された形態でコンテンツ再生を行うことができるように、無線通信部１６０で取得されたコンテンツを加工するものである。コンテンツ加工部１６４は、転送データ作成部（データ転送手段）１８４と、無線通信部１６０で取得された複数のコンテンツを１つのコンテンツに統合するコンテンツ統合部（コンテンツ統合手段）１８３と、フォーマット変換部（フォーマット変換手段）１８２と、ユーザによってあらかじめ設定された（ユーザがあらかじめキー入力部１６１を用いて設定を入力することによって行われる）、どのようなコンテンツ加工動作を行うかの情報を記憶するコンテンツ加工動作設定記憶部１８５と、リンク修正部１８６と、インラインコンテンツアドレス修正部１８８と、アドレス追加部１８７とを含む。
【０１２１】
フォーマット変換部１８２は、フォーマット変換を行うものである。ここで、フォーマット変換とは、情報の内容を異質の情報形式にして置き換えることを指す。無線通信部１６０にて取得されたコンテンツを、該コンテンツのフォーマットと異なり、かつ液晶テレビ８で再生可能なフォーマットのコンテンツに変換する。
【０１２２】
フォーマット変換部１８２は、例えば、文字コンテンツ（文字情報）を含むコンテンツ（例えばウェブページ）を表示した画面を画像コンテンツ（画像情報）に変換することで、無線通信部１６０で取得されたコンテンツを画像コンテンツに変換するものである。すなわち、フォーマット変換部１８２は、例えば、コンテンツ表示部１６５で作成された表示画像データの少なくとも一部を圧縮することで、液晶テレビ８で再生可能なフォーマットのコンテンツを作成する。また、携帯電話機３が、無線通信部１６０で取得されたコンテンツを表示以外の形態（例えば、印刷や音声出力など）で再生するための再生データを作成する再生データ作成手段を備えている場合、フォーマット変換部１８２は、再生データを、再生データのフォーマットと異なり、かつコンテンツ受信装置で再生可能なフォーマットのコンテンツに変換するものであってもよい。
【０１２３】
また、フォーマット変換部１８２は、無線通信部１６０で取得されたコンテンツ（音声コンテンツ以外のコンテンツ、例えば文字で表された情報）を音声合成により音声化（音声コンテンツに変換）する音声変換部（音声変換手段）であってもよい。
【０１２４】
また、フォーマット変換部１８２は、無線通信部１６０で取得された動画情報（コンテンツ）を、連続する静止画情報の列にするものであってもよい。
【０１２５】
また、フォーマット変換部１８２は、コンテンツに含まれた特徴情報から異質の情報を作成するものであってもよい。すなわち、フォーマット変換部１８２は、無線通信部１６０で取得されたコンテンツに一部として含まれる特定の種類の情報を抽出し、抽出された特定の種類の情報を、その情報と異なるフォーマットであり、かつ液晶テレビ８で再生可能なフォーマットのコンテンツに変換するものであってもよい。例えば、フォーマット変換部１８２は、無線通信部１６０で取得されたコンテンツとしての音楽情報（例えばＭＰ３ファイル）に一部として含まれる曲名情報を抽出し、抽出された曲名情報を、液晶テレビ８で表示可能なフォーマットの文字情報（コンテンツ）に変換するものであってもよい。また、例えば、フォーマット変換部１８２は、無線通信部１６０で取得されたコンテンツに一部として含まれる該コンテンツを取得するためのアドレスを抽出し、抽出されたアドレスを、液晶テレビ８で表示可能なフォーマットの文字情報（コンテンツ）に変換するものであってもよい。
【０１２６】
リンク修正部１８６は、転送データ（コンテンツ）内のリンクを転送先の装置（液晶テレビ８）でも正しくたどれるように修正する。すなわち、リンク修正部１８６は、無線通信部１６０にて取得されたコンテンツが、インターネット上のサーバ（配信装置）が配信可能な被参照コンテンツへのリンクを含み、かつ、リンクの参照先が相対アドレス（相対ＵＲＩ等）で記述されているもの（リンク含有コンテンツ）である場合に、相対アドレスに対応する基底アドレス（相対アドレスの基準となるアドレス；例えばリンク含有コンテンツの絶対アドレス）を追加するか、あるいは相対アドレスを絶対アドレス（絶対ＵＲＩ等）で置き換える。
【０１２７】
インラインコンテンツアドレス修正部１８８は、コンテンツに含まれるインラインコンテンツを転送先でも利用できるようにインラインコンテンツアドレスを修正する。すなわち、インラインコンテンツアドレス修正部１８８は、無線通信部１６０にて取得されたコンテンツが、基本コンテンツと基本コンテンツ内に埋め込んで再生されるインラインコンテンツのアドレスとを含む複合コンテンツであり、かつ、インラインコンテンツのアドレスが相対アドレスで記述されている場合に、相対アドレスに対応する基底アドレスを追加するか、あるいは相対アドレスを絶対アドレスで置き換える。
【０１２８】
アドレス追加部１８７は、転送先の装置（液晶テレビ８）でもオリジナルのコンテンツ（コンテンツサーバ１上のコンテンツ）が取得できるようにオリジナルコンテンツのアドレスを転送データ（コンテンツ）に追加する。すなわち、アドレス追加部１８７は、無線通信部１６０で取得されたコンテンツに対して、液晶テレビ８がコンテンツサーバ１からネットワーク経由でコンテンツを取得するためのアドレス情報を付加する。
【０１２９】
転送データ作成部１８４は、コンテンツ加工部１６４で加工されたコンテンツを、液晶テレビ８へ転送するデータ（転送データ）として赤外線通信部１６２に送るために、コンテンツ加工部１６４で加工されたコンテンツを含む転送データを作成し、転送データ記憶部１６８に記憶させるものである。
【０１３０】
なお、コンテンツ加工部１６４は、アドレス追加部１８７に代えて、コンテンツを、そのコンテンツを液晶テレビ８がコンテンツサーバ１からネットワーク経由で取得するためのアドレス情報に置き換える処理部を備えていてもよい。この場合にも、コンテンツ加工部１６４がアドレス追加部１８７を備える場合と同様の効果が得られる。ただし、アドレス追加部１８７を備える方が、液晶テレビ８が、コンテンツサーバ１からネットワーク経由でコンテンツを取得しなくとも、コンテンツの一部（リンクの参照先のコンテンツやインライン画像などを除くコンテンツ）を受信し再生できる点で好ましい。
【０１３１】
また、本実施形態では、コンテンツ加工部１６４が、コンテンツ統合部１８３、フォーマット変換部１８２、リンク修正部１８６、アドレス追加部１８７、およびインラインコンテンツアドレス修正部１８８を備えていたが、コンテンツ加工部１６４は、コンテンツ統合部１８３、フォーマット変換部１８２、リンク修正部１８６、アドレス追加部１８７、およびインラインコンテンツアドレス修正部１８８のうちの少なくとも１つを備えていればよい。また、コンテンツ加工部１６４におけるコンテンツ加工動作設定記憶部１８５を省略してもよい。ただし、コンテンツ加工部１６４は、コンテンツ加工動作設定記憶部１８５のように、ユーザからの、コンテンツ統合、フォーマット変換、リンク修正、アドレス追加、およびインラインコンテンツアドレス修正のそれぞれを行うか否かを設定する指示にしたがって、コンテンツ統合部１８３、フォーマット変換部１８２、リンク修正部１８６、アドレス追加部１８７、およびインラインコンテンツアドレス修正部１８８のそれぞれを動作させるか否かを制御する部分を有していることが好ましい。これにより、ユーザが、コンテンツ加工を行うか否か、コンテンツ加工を行う場合にどのようなコンテンツ加工を行うかを選択することが可能になる。
【０１３２】
上記した制御部１７０の制御機能およびその他の各機能部（コンテンツ加工部１６４およびコンテンツ表示部１６５など）の機能は、携帯電話機３にハードウェアとして備えられた図示しないＣＰＵ（中央演算処理装置）が、携帯電話機３にハードウェアとして備えられた図示しない記憶装置に記憶されたプログラムを実行することで、実現される。なお、上記した制御部１７０の制御機能およびその他の各機能部の一部または全てを、ハードウェアロジックによって構成してもよい。
【０１３３】
携帯電話機３は、携帯電話網およびインターネット２０を通じてインターネット上のコンテンツサーバ１からコンテンツを取得しうる無線通信部１６０と、コンテンツ加工部１６４で加工されたコンテンツを液晶テレビ８へ転送する赤外線通信部１６２とコンピュータ（ＣＰＵおよびメモリ）とを備える携帯電話機に対し、コンテンツ加工部１６４としてコンピュータを機能させるためのコンテンツ転送プログラムを導入することで、ソフトウェアによって実現できる。
【０１３４】
携帯電話機３は、コンテンツ転送プログラムなどのプログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機３のプログラムのプログラムコード（実行形式プログラム、中間コードプログラム、ソースプログラム）をコンピュータで読み取り可能に記録した記録媒体を、上記携帯電話機３に供給し、そのコンピュータ（またはＣＰＵやＭＰＵ）が記録媒体に記録されているプログラムコードを読み出し実行することによっても、達成可能である。
【０１３５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３６】
また、携帯電話機３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３７】
図４に、上述したプログラムのメインルーチンの制御構造をフローチャート形式で示す。なお、図４に示すフローチャートは、携帯電話機３の機能のうちでも本発明に関連する部分のみを抽出したものであり、例えば通常の通話、インターネット経由の電子メール受信などのためのプログラム部分については省略してある。
【０１３８】
図４は第１の動作例として、携帯電話機３が、コンテンツを受信して加工し、加工したコンテンツを液晶テレビ８へ送信する動作を示したフローチャートである。
【０１３９】
図４を参照して、ステップＳ１１において、携帯電話機３の制御部１７０が、キー入力部１６１に入力されたユーザの操作に基づいて無線通信部１６０を動作させることにより、携帯電話網およびインターネット２０を介してコンテンツサーバ１にアクセスし、コンテンツサーバ１からコンテンツを受信する。
【０１４０】
ステップＳ１２において、コンテンツ表示部１６５は、受信したコンテンツの内容を液晶表示部１１０に表示する。ステップＳ１３において、ユーザは、液晶表示部１１０に表示されているコンテンツを閲覧し、転送したい所望の情報内容が閲覧しているコンテンツ内にあった場合に、ファンクションキー１４４を操作し、コンテンツの転送指示操作を行う。
【０１４１】
ステップＳ１４において、ファンクションキー１４４から表示コンテンツの転送指示を受けると、コンテンツ加工部１６４は、表示コンテンツを加工することで転送データを作成し、作成された転送データを転送データ記憶部１６８に記憶させる。
【０１４２】
ステップＳ１５において、制御部１７０が、転送データ記憶部１６８に記憶された転送データ（加工されたコンテンツ）を転送データ記憶部１６８から読み出し、赤外線通信部１６２を介して液晶テレビ８に送信する。
【０１４３】
ステップＳ１５において、フォーマット変換設定３０２（後述）がＯＮの場合、制御部１７０は、コンテンツ記憶部１６６に記憶されたフォーマット変換前のコンテンツ（無線通信部１６０で取得されたコンテンツ）を液晶テレビ８へ転送するか、転送データ記憶部１６８に記憶されたフォーマット変換後のコンテンツ（フォーマット変換部１８２により得られたコンテンツ）を液晶テレビ８へ転送するか、コンテンツ記憶部１６６に記憶されたフォーマット変換前のコンテンツと転送データ記憶部１６８に記憶されたフォーマット変換後のコンテンツとの両方を液晶テレビ８へ転送するかをユーザに問い合わせ、その問い合わせに対するユーザの回答に基づいて上記３つの処理のいずれかを行うようになっていてもよい。この場合、ユーザが上記３つの処理のいずれかを選択する選択手段としては、例えばファンクションキー１４４を用いることができる。また、ユーザへの問い合わせは、例えば、上記３つの処理のそれぞれに対応するメッセージ（例えば「オリジナル転送」「変換したものを転送」「オリジナルと変換したものとを転送」）をファンクションキー１４４と対応付けて表示することで行えばよい。
【０１４４】
図５に、液晶テレビ８の機能的構成をブロック図の形式で示す。
【０１４５】
図５を参照して、液晶テレビ８は、携帯電話機３などとＩｒＳＣ通信を行い、携帯電話機３からコンテンツをＩｒＳＣ通信によって受信するための赤外線通信部（コンテンツ受信手段）２６２と、赤外線通信部２６２を介して受信した転送データ（コンテンツ）を記憶する転送データ記憶部２６８と、転送データ記憶部２６８に記憶された転送データが元のコンテンツを取得するためのアドレスを含んでいる場合に、そのアドレスを転送データから抽出するアドレス抽出部２６４と、転送データ記憶部２６８に記憶されたハイパーリンクドキュメント（リンク含有コンテンツ）に含まれるリンクの参照先アドレスおよびインラインコンテンツのアドレスや、アドレス抽出部２６４で抽出されたアドレスに基づき、インターネットを通じて上記アドレスに対応するインターネット上のサーバ（コンテンツサーバ１または他のサーバ）の所定位置にアクセスして、そのアドレスにあるコンテンツを受信するためのネットワーク通信部２６０と、ネットワーク通信部２６０を介して受信したコンテンツを記憶するコンテンツ記憶部２６６と、転送データ記憶部２６８やコンテンツ記憶部２６６に記憶されたコンテンツの展開処理などを行うことでコンテンツ再生を行うコンテンツ再生部（コンテンツ再生手段）２６５と、コンテンツを画像として表示する液晶表示部（コンテンツ再生手段、表示手段）２１０と、音声を再生するスピーカ（コンテンツ再生手段）２１２と、リモコン６からの操作入力を受信するリモコン入力部２６１と、リモコン入力部２６１から与えられたユーザ指示に基づき、所定のプログラムにしたがって液晶テレビ８内の各機能部を制御するとともに、液晶テレビ８内におけるデータの移動を制御するための制御部２７０とを含む。
【０１４６】
本発明では、コンテンツ再生手段は、液晶表示部２１０、スピーカ２１２、ネットワーク通信部２６０、アドレス抽出部２６４、およびコンテンツ再生部２６５で構成される。また、インターネット上のコンテンツサーバ１等からコンテンツを取得する手段（第１の取得手段又は第２の取得手段）は、ネットワーク通信部２６０およびアドレス抽出部２６４で構成される。
【０１４７】
アドレス抽出部２６４は、コンテンツサーバ１上の元のコンテンツを取得するためのアドレス（液晶テレビ８がコンテンツサーバ１からネットワーク経由でコンテンツを取得するためのアドレス情報）が受信コンテンツ（赤外線通信部２６２で受信され転送データ記憶部２６８に記憶された転送データ）に付加されていれば、前記アドレスを抽出する。アドレス抽出部２６４は、前記アドレスが抽出されると、コンテンツサーバ１からネットワーク経由でコンテンツを取得するか否かをユーザに問い合わせ、コンテンツサーバ１からネットワーク経由でコンテンツを取得することがユーザから要求された場合に、前記アドレスに基づいてコンテンツサーバ１からネットワーク経由でコンテンツを取得し、コンテンツ記憶部２６６に記憶させるもの（第２の取得手段）である。なお、アドレス抽出部２６４は、受信コンテンツからアドレスが抽出されたときに自動的にコンテンツサーバ１からネットワーク経由でコンテンツを取得し、コンテンツ記憶部２６６に記憶させるもの（第１の取得手段）であってもよい。
【０１４８】
上記した制御部２７０の制御機能およびその他の各機能部の機能は、液晶テレビ８がハードウェアとして持つ図示しないＣＰＵ（中央演算処理装置）により実行されるプログラムにより実現される。図６に、そのプログラムのメインルーチンの制御構造をフローチャート形式で示す。なお図６に示すフローチャートは、液晶テレビ８の機能のうちでも本発明に関連する部分のみを抽出したものであり、例えば通常のテレビ放送の受像などのためのプログラム部分については省略してある。
【０１４９】
図６は、第１の動作例として、携帯電話機３から転送されたデータを液晶テレビ８が処理する動作を示したフローチャートである。
【０１５０】
図６を参照して、液晶テレビ８において、ステップＳ２１において、赤外線通信部２６２が、携帯電話機３から転送データ（コンテンツ）を受信する。赤外線通信部２６２で転送データ（コンテンツ）が受信されると、ステップＳ２２において、コンテンツ再生部２６５は、赤外線通信部２６２で受信された転送データ（転送データ記憶部２６８に記憶された転送データ）の内容を液晶表示部２１０に表示する（あるいは、赤外線通信部２６２で受信された転送データに基づいて、スピーカ２１２から音声出力を行う）。
【０１５１】
ステップＳ２３において、アドレス抽出部２６４は、転送データ記憶部２６８に記憶された転送データからコンテンツサーバ１上のオリジナルコンテンツを取得するためのアドレスを抽出する。ステップＳ２４において、コンテンツサーバ１上のオリジナルコンテンツを取得するためのアドレスが転送データに含まれない場合には、処理を終了する。コンテンツサーバ１上のオリジナルコンテンツを取得するためのアドレスが転送データに含まれる場合にはステップＳ２５へ進む。ステップＳ２５において、ネットワーク通信部２６０は、コンテンツサーバ１上のオリジナルコンテンツを取得するためのアドレスへアクセスを試み、オリジナルコンテンツを取得することが可能であるかを判断する。ネットワーク通信部２６０は、例えば、液晶テレビ８に接続されたネットワークがオンラインになっているかを判断する。ネットワーク通信部２６０がオリジナルコンテンツの取得が可能でないと判断した場合には、処理を終了する。ネットワーク通信部２６０がオリジナルコンテンツの取得が可能であると判断した場合には、ステップＳ２６へ進む。
【０１５２】
ステップＳ２６において、ユーザに対してオリジナルコンテンツを取得するかどうかの判断を促す（オリジナルコンテンツを取得するかどうかを問い合わせる）。例えば、「はい」「いいえ」の選択肢を画面に表示し、ユーザにリモコン６を操作して一方の選択肢（回答）を選択させる。ステップＳ２７において、ユーザのリモコン操作をリモコン入力部２６１で受信し、ユーザがオリジナルコンテンツを取得しないことを選択した場合、処理を終了する。ステップＳ２７において、ユーザが取得することを選択した場合は、ステップＳ２８へ進む。
【０１５３】
ステップＳ２８において、ネットワーク通信部２６０が、コンテンツサーバ１へアクセスし、オリジナルコンテンツを取得する。取得したオリジナルコンテンツは、コンテンツ記憶部２６６に記憶される。ステップＳ２９において、コンテンツ再生部２６５は、コンテンツ記憶部２６６に記憶されたオリジナルコンテンツを再生し、オリジナルコンテンツが画像情報や文字情報などの視覚情報であれば、オリジナルコンテンツを液晶表示部２１０に表示し、オリジナルコンテンツが音声情報などの聴覚情報であれば、オリジナルコンテンツをスピーカ２１２で再生（音声出力）し、フローを終了する。
【０１５４】
前記ステップＳ２５において、オリジナルコンテンツを取得するためのアドレスへアクセスし、オリジナルコンテンツを取得することが可能であるとネットワーク通信部２６０が判断したとき、ステップＳ２６とＳ２７でユーザの判断を必要とせず、自動的にコンテンツを取得するためにステップＳ２８へ進むことも考えられる。
【０１５５】
コンテンツサーバ１は、携帯電話機３や液晶テレビ８からのアクセスによりコンテンツの配信要求を受けると、その該当するコンテンツの情報内容を携帯電話網およびインターネット２０を介して携帯電話機３や液晶テレビ８へ送信する。コンテンツの形態としては、ＨＴＭＬ(HyperText Markup Language)やＸＭＬ(eXtended Markup Language)など、ハイパーテキストを構成する各種のコンテンツ記述言語を用いてなる文字情報や、画像情報、音楽情報等を含むデータを適用できる。
【０１５６】
携帯電話機３でコンテンツの受信を行う際には、ユーザによるキー入力部１６１の操作指示に基づき、コンテンツ閲覧用のアプリケーションプログラムであるブラウザを起動、実行してコンテンツサーバ１にアクセスし、取得したコンテンツをコンテンツ記憶部１６６に記憶する。コンテンツ表示部１６５は、コンテンツ記憶部１６６からコンテンツを読み出し、液晶表示部１１０にコンテンツを表示する。また、同時に、コンテンツ表示部１６５は、指示メッセージ１２８として「送信」を表示する。
【０１５７】
携帯電話機３がコンテンツの転送を行う際には、ユーザが指示メッセージ１２８の指示にあわせてファンクションキー１４４を使用して「送信」を指示したことをキー入力部１６１が判定し、コンテンツ記憶部１６６に記憶されたコンテンツをコンテンツ加工部１６４が加工することによって、転送データを作成する。加工されたコンテンツは、転送データ記憶部１６８に記憶（保存）される。ここでは、転送データの作成および記憶は、液晶テレビ８などへの転送指示を受けた時に行うようになっているが、液晶表示部１１０の表示と同時に行ってもよい。加工されたコンテンツ（転送データ）は、赤外線通信部１６２を介して、液晶テレビ８の赤外線通信部２６２へ送信される。
【０１５８】
図７は、第１の動作例として、携帯電話機３のコンテンツ加工部１６４の動作を設定したコンテンツ加工動作設定情報を示した表である。
【０１５９】
図７を参照して、コンテンツ統合設定３０１は、コンテンツ統合部１８３の動作を規定し、２つ以上のコンテンツがある場合に１つに統合して転送を行うか否かを設定する。フォーマット変換設定３０２は、フォーマット変換部１８２の動作を規定し、フォーマット変換部１８２が、コンテンツを転送する前にコンテンツのフォーマットの変換を行うか否かを設定する。リンク修正設定３０３は、リンク修正部１８６およびインラインコンテンツアドレス修正部１８８の動作を規定するものであり、リンク修正部１８６がコンテンツに含まれるリンクを転送先でも利用できるように修正し、インラインコンテンツアドレス修正部１８８がコンテンツに含まれるインラインコンテンツを転送先でも利用できるようにインラインコンテンツアドレスを修正するか否かを設定する。なお、フォーマット変換設定３０２がＯＮの場合で、フォーマット変換部１８２が、コンテンツをハイパーリンク構造を持たないデータ形式（たとえば、画像情報）に変換する場合には、リンク修正設定３０３は無視される（リンク修正設定３０３がＯＮであるかＯＦＦであるかにかかわらず、リンク修正部１８６によるリンクの修正、およびインラインコンテンツアドレス修正部１８８によるインラインコンテンツアドレスの修正を行わない）。オリジナル取得アドレス追加設定３０４は、アドレス追加部１８７の動作を規定し、アドレス追加部１８７がオリジナルコンテンツを取得するためのアドレスをコンテンツに追加するか否かを設定する。
【０１６０】
なお、リンク修正設定３０３とオリジナル取得アドレス追加設定３０４との少なくとも一方はＯＮであることが好ましい。また、フォーマット変換設定３０２がＯＮの場合には、アドレス追加部１８７は、オリジナル取得アドレス追加設定３０４がＯＮかＯＦＦかに関わらず、フォーマット変換後のコンテンツに対して、オリジナルコンテンツを取得するためのアドレスを追加することが好ましい。
【０１６１】
図８は第１の動作例として、携帯電話機３のコンテンツ加工部１６４が転送データを作成する動作を示したフローチャートである。
【０１６２】
図８を参照して、ステップＳ３１において、コンテンツ加工部１６４では、まず、コンテンツ加工動作設定記憶部１８５に記憶されたコンテンツ加工動作設定を読み出す。
【０１６３】
ステップＳ３２において、コンテンツ統合部１８３では、ウェブページおよびそのインライン画像のように複数のコンテンツが存在する場合、コンテンツ統合設定３０１に従ってコンテンツを１つに統合するか否かを判断する。コンテンツ統合設定３０１がＯＦＦであるかまたはコンテンツが１つの場合にはコンテンツの統合を行わず、ステップＳ３４に進む。コンテンツ統合設定３０１がＯＮでかつ複数のコンテンツが存在する場合はコンテンツの統合を行うため、ステップＳ３３へ進む。ステップＳ３３において、コンテンツ統合部１８３は、複数のコンテンツを１つのコンテンツに統合する。
【０１６４】
ステップＳ３４において、フォーマット変換部１８２は、フォーマット変換設定３０２に従ってコンテンツの変換を行うか否かを判断する。フォーマット変換設定３０２がＯＦＦであるかまたはコンテンツを変換可能なフォーマットがない場合、フォーマット変換部１８２はフォーマット変換を行わず、ステップＳ３６に進む。フォーマット変換設定３０２がＯＮでかつコンテンツを変換可能なフォーマットがある場合には、フォーマットの変換を行うため、ステップＳ３５に進む。ステップＳ３５において、フォーマット変換部１８２はコンテンツ加工動作設定に基づき、フォーマットの変換を行い、ステップＳ３９へ進む。
【０１６５】
ステップＳ３６において、リンク修正部１８６は、リンク修正設定３０３に従ってコンテンツのリンクを転送先の液晶テレビ８で正しくたどれるように修正を行う。リンク修正設定３０３がＯＮの場合、リンク修正を行うためにステップＳ３７へ進む。リンク修正設定３０３がＯＦＦの場合、ステップＳ３８へ進む。ステップＳ３７において、リンク修正部１８６は、コンテンツに含まれるリンクの修正を行う。
【０１６６】
ステップＳ３８において、アドレス追加部１８７は、オリジナル取得アドレス追加設定３０４に従って、転送先の液晶テレビ８でオリジナルコンテンツを取得するためのアドレスを転送データに付加する。オリジナル取得アドレス追加設定３０４がＯＦＦの場合、ステップＳ４０へ進む。オリジナル取得アドレス追加設定３０４がＯＮの場合、ステップＳ３９へ進む。ステップＳ３９において、アドレス追加部１８７は、オリジナルコンテンツを取得するためのアドレスを追加する。ステップＳ４０において、上記ステップまでで作成された転送データを転送データ記憶部１６８に記憶し、コンテンツ加工処理のフローを終了する。
【０１６７】
図９（ｂ）は、コンテンツ加工部１６４が、コンテンツサーバ１から受信したウェブページに、オリジナルコンテンツを取得するためのアドレスを追加した実施例の模式図である。
【０１６８】
図９（ｂ）の例は、コンテンツ統合設定３０１、フォーマット変換設定３０２、およびリンク修正設定３０３がＯＦＦに設定され、オリジナル取得アドレス追加設定３０４がＯＮに設定された例である。
【０１６９】
また、図９（ｂ）および図１０〜図１２の例では、コンテンツサーバ１から受信されるウェブページ（コンテンツ）は、図９（ａ）にソースコード５０として示すように、インターネット上のサーバが配信可能な被参照コンテンツ（絶対ＵＲＩ"http://www.foo.bar/i/link.html"）へのリンク（７行目のアンカータグ）を含むＨＴＭＬ文書（リンク含有コンテンツ）であり、上記リンクにおいては参照先（被参照コンテンツ）のアドレスが相対ＵＲＩ（"/i/link.html"）で記述されている。また、これらの例では、コンテンツサーバ１から受信されるウェブページ（コンテンツ）は、図９（ａ）にソースコード５０として示すように、基本コンテンツ（９行目のＩＭＧタグを除く部分）と基本コンテンツ内に埋め込んで表示されるインライン画像コンテンツ（絶対ＵＲＩ"http://www.foo.bar/img/image.gif"）のアドレス（９行目のＩＭＧタグ）とからなる複合コンテンツであり、かつ、インライン画像コンテンツのアドレスが相対ＵＲＩ（"/img/image.gif"）で記述されている。なお、コンテンツサーバ１上におけるソースコード５０のアドレス（絶対ＵＲＩ）は、"http://www.foo.bar/i/index.html"である。
【０１７０】
携帯電話機３は、ウェブページのソースコード５０を受信すると、ウェブページのソースコード５０を液晶表示部１１０に画像４４として表示させる。また、携帯電話機３は、ウェブページのソースコード５０に記述されたインライン画像コンテンツの相対ＵＲＩと、ウェブページのソースコード５０の基底アドレス（ソースコード５０受信前に携帯電話機３内に記憶されている）とに基づいて、インライン画像コンテンツの絶対ＵＲＩを認識し、絶対ＵＲＩで指定された位置からインライン画像コンテンツを取得する。したがって、画像４４では、図９（ａ）に示すように、ウェブページのソースコード５０に含まれるテキスト（"Here is my Picture."）やリンク文字列("Link")等を表示する領域内にインライン画像が埋め込んで表示される。また、携帯電話機３は、ウェブページのソースコード５０に記述されたリンク参照先の相対ＵＲＩと、ウェブページのソースコード５０の基底アドレスとに基づいて、リンク参照先の絶対ＵＲＩを認識し、絶対ＵＲＩで指定された位置からリンク参照先のコンテンツ（被参照コンテンツ）を取得することができる。したがって、画像４４では、リンクは、有効（リンクを選択すればリンクの参照先にジャンプすることができる）である。
【０１７１】
ウェブページのソースコード５０をそのまま液晶テレビ８へ転送すると、液晶テレビ８がウェブページのソースコード５０の基底アドレスを認識できないので、インライン画像を表示することも、有効なリンクを表示することもできない。すなわち、液晶テレビ８は、転送されたウェブページのソースコード５０のみからでは、テキスト（"Link"および"Here is my picture."）」は表示できるが、インライン画像は相対アドレスで表記されているために表示できない。また、文字列"Link"に付加されているリンクは、相対アドレスで参照先が記述されているために、液晶テレビ８は、このリンクの参照先にあるコンテンツ（被参照コンテンツ）にアクセスすることができない。
【０１７２】
そこで、図９（ｂ）の例では、アドレス追加部１８７が、ウェブページのソースコード５０に、コンテンツサーバ１上のオリジナルのコンテンツを取得するためのアドレスへアクセスするためのＨＴＭＬで記述されたリンク（７行目のアンカータグ）を追加して、ウェブページのソースコード５０ａを作成する。
【０１７３】
これにより、転送先の液晶テレビ８は、ソースコード５０ａに基づき、コンテンツサーバ１上のオリジナルのコンテンツを取得するためのアドレスへアクセスするためのリンク（"original"）を含む画像４４ａを表示させることができる。画像４４ａにはインライン画像が表示されないが、ユーザが画像４４ａ内に表示される"original"のリンク（原型のコンテンツへのリンク）をたどることで、液晶テレビ８は、コンテンツサーバ１へアクセスし、コンテンツサーバ１からオリジナルのコンテンツを取得することができる。液晶テレビ８は、オリジナルのコンテンツを取得することができれば、そこに含まれるインラインコンテンツやリンク情報が相対アドレスで記述されていても、表示することができる。すなわち、液晶テレビ８は、リンク参照先およびインライン画像の相対ＵＲＩと、ウェブページのソースコード５０の基底アドレスとに基づいて、絶対ＵＲＩを認識することができるので、インライン画像および有効なリンクを含む画像を表示することができる。したがって、液晶テレビ８は、携帯電話機３に表示される画像４４と同様の画像を表示することができる。
【０１７４】
ここでは、ＨＴＭＬ形式のソースコードにリンクを追加する例を挙げたが、ハイパーリンクを可能とする他の形式、例えばＨＤＭＬ(Handheld Device Markup Language)やＭＭＬ(Mobile Markup Language)に適用することも可能である。
【０１７５】
次に、リンク修正部１８６およびインラインコンテンツアドレス修正部１８８が動作する例を示す。
【０１７６】
図１０（ａ）および図１０（ｂ）は、コンテンツ配信サーバから受信したウェブページに含まれるリンクを、転送先の装置でも正しくたどれるように修正する実施例の模式図である。
【０１７７】
この例は、コンテンツ統合設定３０１、フォーマット変換設定３０２、およびオリジナル取得アドレス追加設定３０４がＯＦＦに設定され、リンク修正設定３０３がＯＮに設定された例である。
【０１７８】
図１０（ａ）の例では、リンク修正部１８６およびインラインコンテンツアドレス修正部１８８は、ウェブページのソースコード５０に対して、相対パスで記述されたＵＲＩ（リンク参照先のＵＲＩ（"/i/link.html"）およびインライン画像のＵＲＩ（"/img/image.gif"））の基準となるＵＲＩ（基底アドレス）を含む＜ＢＡＳＥ＞タグ（５行目）を追加して、ソースコード５０ｂを作成する。ここでは、相対パスで記述されたＵＲＩの基準となるＵＲＩとして、オリジナルコンテンツのＵＲＩ（"http://www.foo.bar/i/index.html"）を用いている。
【０１７９】
図１０（ｂ）の例では、リンク修正部１８６は、ウェブページのソースコード５０に含まれる相対リンク（参照先が相対ＵＲＩ（"/i/link.html"）で記述されたリンク）を絶対リンク（参照先が絶対ＵＲＩ（"http://www.foo.bar/i/link.html"）で記述されたリンクに修正し、インラインコンテンツアドレス修正部１８８が、インライン画像の相対ＵＲＩ（"/img/image.gif"）を絶対ＵＲＩ（"/img/image.gif"）に修正することで、ソースコード５０ｃが作成される。
【０１８０】
もし携帯電話機３が画像４４のソースコード５０をそのまま液晶テレビ８へ転送したとすれば、液晶テレビ８では、画像４４のテキスト部分のみしか表示できず、画像４４のインライン画像を表示することができない。また、その場合、液晶テレビ８では、画面内に「Ｌｉｎｋ」の文字は表示できる。しかしながら、ユーザがその画面で「Ｌｉｎｋ」をたどっても（「Ｌｉｎｋ」を選択しても）、リンクの参照先が相対リンクで記述されており、液晶テレビ８が基底アドレスを認識できないので、液晶テレビ８が、コンテンツサーバ１にあるリンクの参照先のコンテンツ（被参照コンテンツ）へアクセスできない。
【０１８１】
これに対し、図１０（ａ）の例では、ソースコード５０ｂに、相対パスで記述されたＵＲＩの基準となるＵＲＩ（基底アドレス）を含む＜ＢＡＳＥ＞タグ（５行目）が追加されている。そのため、液晶テレビ８は、リンク参照先およびインライン画像の相対ＵＲＩと、この相対ＵＲＩの基準となるＵＲＩ（基底アドレス）とに基づいて、リンク参照先およびインライン画像の絶対ＵＲＩを認識することができるので、リンクをたどって参照先のコンテンツに到達すること、およびインライン画像を表示することができる。
【０１８２】
また、図１０（ｂ）の例では、ソースコード５０ｃにおいて、リンク参照先およびインライン画像のＵＲＬが絶対ＵＲＩによる記述に修正されているので、リンクをたどって参照先のコンテンツに到達すること、およびインライン画像を表示することができる。
【０１８３】
したがって、図１０（ａ）および図１０（ｂ）の例では、転送先の液晶テレビ８が、携帯電話機３で表示される画像４４と同様の、インライン画像および有効なリンクを含む画像４４ｂ・４４ｃを表示することができる。
【０１８４】
リンク修正部１８６がリンクを修正する方法の他の例として、Java（登録商標）Scriptを利用してリンクを変更する方法を以下に示す。この例では、リンク修正部１８６は、相対アドレスで参照先が記述されたリンクを、以下のソースコードに示すように、Java（登録商標）Scriptを利用して間接的に参照先が絶対アドレスで記述されたリンクに置き換える。
【０１８５】
<HTML>
<HEAD>
<META http-equiv="Content-Type" content="text/html; charset=SHIFT_JIS">
<SCRIPT LANGUAGE="JavaScript">
<!--
function getOriginal()
{
location.href = “http://www.foo.bar/i/link.html”;
}
// -->
</SCRIPT>
<TITLE>sample</TITLE>
</HEAD>
<BODY>
<A HREF="javaScript:getOriginal()">Link</A><BR>
<IMG SRC="http://www.foo.bar/img/image.gif">
</BODY>
</HTML>
この例でも、図１０の例と同様に、液晶テレビ８が、画面内のリンクをたどってコンテンツサーバ１から参照先のコンテンツを取得し、表示することができる。
【０１８６】
図１１は、コンテンツサーバ１から受信した複数のコンテンツを、コンテンツ統合部１８３によって統合した実施例の模式図である。
【０１８７】
この例では、コンテンツ統合部１８３は、コンテンツサーバ１から受信したＨＴＭＬファイル（ファイル名“ｉｎｄｅｘ．ｈｔｍｌ”）および画像ファイル（ファイル名“ｉｍａｇｅ．ｇｉｆ”）の２つのコンテンツを１つのコンテンツ５２ａに統合する。コンテンツ統合部１８３が、コンテンツ統合方法の例として、ＲＦＣ２５５７で策定されたＭＩＭＥ封入(MIME Encapsulation)を用いた場合に得られるコンテンツ５２ａのソースコード５４ａ（ＨＴＭＬ文書）を図１１に示す。液晶テレビ８は、この方法で統合されたソースコード５４ａ（ＨＴＭＬ文書）を受信すると、携帯電話機３に表示される画像（表示画像）４４と同じ画像（表示画像）４４ｄを構成して表示することができる。コンテンツ統合方法としては、複数のファイルを１つのファイルにまとめるアーカイブ形式、たとえばＴＡＲ(Tape Archival and Retrieval format)形式を適用しても、同じ効果が得られる。
【０１８８】
図１２は、フォーマット変換部１８２によってウェブページを画像情報へ変換したものに、アドレス追加部１８７によってオリジナルコンテンツを取得するためのアドレスを埋め込んだ例を示している。
【０１８９】
この例は、コンテンツ統合設定３０１およびオリジナル取得アドレス追加設定３０４がＯＦＦに設定され、フォーマット変換設定３０２およびリンク修正設定３０３がＯＮに設定された例である。
【０１９０】
画像４４ｅは、画像４４のソースコード５０を携帯電話機３の液晶表示部１１０に表示したときの、液晶表示部１１０の画面イメージ（画像４４）をＧＩＦ(Graphics Interchange Format)形式の画像に変換したものである。画像４４ｅのソースコード５２ｂには、オリジナルコンテンツへアクセスするためのアドレスが埋め込まれている。
【０１９１】
すなわち、この例では、フォーマット変換部１８２が、ソースコード５０に基づいて液晶表示部１１０に表示したインライン画像を含む画像４４をＧＩＦ形式の圧縮画像データに変換し、アドレス追加部１８７が、ＧＩＦ形式の圧縮画像データに対してオリジナルコンテンツを取得するためのアドレス（"http://www.foo.bar/i/index.html"）を追加し、ソースコード５２ｂを作成する。
【０１９２】
液晶テレビ８では、携帯電話機３から受信したソースコード５２ｂに基づいて、画像４４に近い画像４４ｅを表示することができる。
【０１９３】
また、液晶テレビ８のアドレス抽出部２６４では、この画像４４ｅのソースコード５２ｂにおけるヘッダ部に含まれる文字情報を読み出し、オリジナルコンテンツへアクセスするためのアドレス"http://www.foo.bar/i/index.html"を抽出する。そして、アドレス抽出部２６４は、自動的に、あるいはユーザの指示にしたがって、コンテンツサーバ１上のアドレス"http://www.foo.bar/i/index.html"からオリジナルコンテンツを取得する。これにより、元の画像４４と同様の、インライン画像および有効なリンクを含む画像を表示することができる。
【０１９４】
したがって、この例では、携帯電話機３から受信したソースコード５２ｂに基づいて、みかけ上、元の画像４４に近い画像４４ｅを速やかに表示することができるだけでなく、元の画像４４に含まれるリンクを利用したい場合には、元の画像４４を表示させてリンクをたどることができる。
【０１９５】
ここでは、液晶表示部１１０の画面イメージをＧＩＦ形式の画像情報へ変換し、ＧＩＦ形成の画像情報にアドレスを埋め込んだ例を挙げた。しかしながら、液晶表示部１１０の画面イメージをＪＰＥＧ(Joint Photographic Experts Group)形式や、ＰＮＧ(Portable Network Graphics)形式などの一般的な画像形式の情報に変換した場合にも、同様に、画像情報のヘッダフィールドに文字情報を埋め込むことができる。また、ここでは画像形式の情報のみを例に挙げたが、画像形式以外の情報形式の情報、たとえば音声情報であっても、文字情報を埋め込むことができる形式であれば、同じ方法を適用することができる。
【０１９６】
〔第２の実施の形態〕
第１の実施の形態では、携帯電話機３が液晶テレビ８へ転送するデータのフォーマットは単一であったが、ここでは、異なるフォーマットを持つ複数のコンテンツを携帯電話機３が液晶テレビ８へ転送する例を示す。
【０１９７】
異なるフォーマットを持つコンテンツとは、（１）異なる種類のコンテンツ、（２）同じ種類のコンテンツであって、異なる圧縮形式もしくは記述形式を持つコンテンツ、あるいは（３）同一の記述形式（または圧縮形式）であって、ビットレートや解像度等といった映像品質（あるいは音声品質）が異なるコンテンツを指す。（１）の異なる種類のコンテンツとしては、具体的には、転送先が液晶テレビである場合、プレーンテキスト（Plain Text）、ウェブページ（ＨＴＭＬ）、静止画像、動画像、音声などが挙げられる。また、（２）の圧縮形式もしくは記述形式としては、ＰＮＧ（静止画像）、ＪＰＥＧ（静止画像）、ＧＩＦ（静止画像）、ＭＰＥＧ（動画像）、ＡＶＩ（動画像）、ＭＯＶ（動画像）、ＷＡＶＥ（音声）、ＭＰ３（音声）などが挙げられる。
【０１９８】
なお、本実施形態における携帯電話機３および液晶テレビ８の構成要素は、第１の実施の形態と同様であるので、説明を省略する。ただし、本実施形態における携帯電話機３は、制御部１７０が、赤外線通信部１６２がフォーマットの異なる複数のコンテンツを液晶テレビ８へ転送するように赤外線通信部１６２を制御する点で、第１の実施の形態における携帯電話機３と異なる。また、本実施形態における液晶テレビ８は、コンテンツ再生部２６５がフォーマットの異なる複数のコンテンツの中から最適なフォーマットのコンテンツを選択して再生する点で、第１の実施の形態における液晶テレビ８と異なる。
【０１９９】
図１３は第２の動作例として、携帯電話機３のコンテンツ加工部１６４の動作を設定したコンテンツ加工動作設定情報を示した表である。
【０２００】
図１３を参照して、コンテンツ統合設定４０１はコンテンツ統合部１８３の動作を規定し、２つ以上のコンテンツがある場合に１つに統合して転送を行うか否かを設定する。フォーマット変換設定４０２はフォーマット変換部１８２の動作を規定し、コンテンツを転送する際にフォーマットの変換を行うか否かを設定する。
【０２０１】
リンク修正設定４０３は、リンク修正部１８６およびインラインコンテンツアドレス修正部１８８の動作を規定するものであり、リンク修正部１８６がコンテンツに含まれるリンクを転送先でも利用できるように修正すると共に、インラインコンテンツアドレス修正部１８８がコンテンツに含まれるインラインコンテンツを転送先でも利用できるようにインラインコンテンツアドレスを修正するか否かを設定する。なお、フォーマット変換設定４０２がＯＮで、かつ、フォーマット変換部１８２によってコンテンツがハイパーリンク構造を持たないデータ形式（たとえば、画像情報）のコンテンツに変換される場合には、リンク修正設定４０３は無視される（リンク修正設定４０３がＯＮであるかＯＦＦであるかにかかわらず、リンク修正部１８６によるリンクの修正、およびインラインコンテンツアドレス修正部１８８によるインラインコンテンツアドレスの修正を行わない）。また、リンク修正部１８６によるリンクの修正を行うか否か、インラインコンテンツアドレス修正部１８８によるインラインコンテンツアドレスの修正を行うかを別々に設定してもよい。
【０２０２】
オリジナル取得アドレス追加設定４０４はアドレス追加部１８７において、オリジナルコンテンツを取得するためのアドレスの追加を行うか否かを設定する。
【０２０３】
複数フォーマット送信設定４０５は、コンテンツの転送時にすべての変換可能なフォーマットへ変換処理を行い、すべての変換した形式のコンテンツとオリジナルの形式のコンテンツとを液晶テレビ８へ転送するか否かを設定する。複数フォーマット送信設定４０５がＯＮの場合、携帯電話機３の赤外線通信部１６２は、コンテンツ記憶部１６６に記憶されたフォーマット変換前のコンテンツ（オリジナルの形式のコンテンツ）と転送データ記憶部１６８に記憶されたフォーマット変換後のコンテンツ（転送データ）との両方を液晶テレビ８へ転送する。なお、フォーマット変換部１８２が同一のコンテンツをフォーマットの異なる複数のコンテンツに変換する構成である場合、携帯電話機３の赤外線通信部１６２が、コンテンツ記憶部１６６に記憶されたフォーマット変換前のコンテンツ（オリジナルの形式のコンテンツ）を液晶テレビ８へ転送せず、同一のコンテンツをフォーマット変換部１８２でフォーマット変換することにより得られたフォーマットの異なる複数のコンテンツを液晶テレビ８へ転送するようにしてもよい。
【０２０４】
なお、リンク修正設定４０３とオリジナル取得アドレス追加設定４０４は少なくとも一方はＯＮであることが好ましい。また、フォーマット変換設定４０２がＯＮの場合には、オリジナル取得アドレス追加設定４０４がＯＮかＯＦＦかに関わらず、変換後のフォーマットにはオリジナルコンテンツを取得するためのアドレスを追加することが好ましい。
【０２０５】
図１４は第２の動作例として、携帯電話機３から１つのコンテンツに対して複数のフォーマットで液晶テレビ８へ転送する場合のコンテンツ加工部１６４の動作を示したフローチャートである。
【０２０６】
図１４を参照して、コンテンツ加工部１６４では、まず、コンテンツ加工動作設定記憶部１８５に記憶されたコンテンツ加工動作設定を読み出す（ステップＳ５１）。複数フォーマット送信設定４０５がＯＮの場合、変換可能なすべてのフォーマットとオリジナルのフォーマットとの両方を送信するため、ステップＳ５４へ進む。ＯＦＦの場合、１つのフォーマットで送信するため、ステップＳ５３へ進む。ステップＳ５３での動作は、図８に示した第１の動作例のステップＳ３２〜Ｓ４０と同様であり、説明を省略する。ステップＳ５４において、転送するコンテンツの第１のフォーマットを決定する。好ましくは、第１のフォーマットはオリジナルのコンテンツフォーマットである。ステップＳ５５において、転送可能な未送信のフォーマットが残っているかを判断する。残っていれば、転送データを作成するためにステップＳ５６へ進む。残っていなければ、コンテンツ加工処理のフローを終了する。ステップＳ５６での動作は、図８に示した第１の動作例のステップＳ３２〜Ｓ４０と同様であり、説明を省略する。ステップＳ５７において、転送するコンテンツの次のフォーマットを決定する。そして、ステップＳ５５〜Ｓ５７をすべての変換可能なフォーマットの数だけ繰り返す。
【０２０７】
本実施形態におけるコンテンツ再生部２６５は、赤外線通信部２６２にて携帯電話機３から、フォーマットが異なる複数のコンテンツが受信された場合に、それらコンテンツの中から再生に最も適したフォーマットのコンテンツを選択して再生するようになっている。より詳細には、本実施形態におけるコンテンツ再生部２６５は、コンテンツが赤外線通信部２６２で受信されても、同一の内容に関し、フォーマットの異なる複数のコンテンツが全て赤外線通信部２６２で受信されるまでは、再生を開始せず、同一の内容に関し、フォーマットの異なる複数のコンテンツが全て赤外線通信部２６２で受信された時点で、受信した複数のコンテンツの中から再生に最も適したフォーマットのコンテンツを選択して再生する。
【０２０８】
図１５は、第２の動作例として、携帯電話機３から転送されたデータを液晶テレビ８が処理する動作を示したフローチャートである。
【０２０９】
図１５を参照して、ステップＳ６１において、液晶テレビ８は、携帯電話機３から赤外線通信部２６２を介して転送データを受信し、転送データ記憶部２６８へ記憶する。ステップＳ６２において、携帯電話機３から送信されてきた、同一の内容に関し、フォーマットの異なる複数のコンテンツをすべて受信したかを判断する。例えば、あるフォーマットのコンテンツを受信した後、十分な時間が経っても次のコンテンツが受信されなければ、すべてのコンテンツを受信したものと判断する。すべてのコンテンツを受信したと判断した場合は、ステップＳ６３に進む。すべてのデータの受信が終わっていなければ、次のコンテンツを受信するために、ステップＳ６１へ戻る。ステップＳ６３において、受信したフォーマットの異なる複数のコンテンツの中から、再生に最も適したフォーマットのコンテンツを選択する。最適なフォーマットを選択する基準は、装置の機能や状態に大きく依存する。例えば、液晶テレビ８に携帯電話機３からウェブページおよびその画面イメージが転送されてきた場合には、液晶テレビ８は、ウェブページを最適なフォーマットのコンテンツとして選択すればよい。また、コンテンツ受信装置に携帯電話機３からウェブページおよびその画面イメージが転送されてきた場合であっても、コンテンツ受信装置が液晶テレビ８ではなくプリンタである場合には、画像イメージを最適なフォーマットのコンテンツとして選択すればよい。
【０２１０】
なお、液晶テレビ８が受信する同一の内容に関し、フォーマットの異なる複数のコンテンツの１つが、液晶テレビ８がコンテンツサーバ１から取得したオリジナルコンテンツであってもよい。この場合のアドレス抽出動作は、図６のＳ２３〜Ｓ２６と同様として、説明を省略する。
【０２１１】
ステップＳ６４において、ステップＳ６３でオリジナルコンテンツを取得することが最適と判断された場合、ステップＳ６５へ進む。受信した転送データの中に最適なフォーマットがある場合は、ステップＳ６７へ進む。ステップＳ６５とＳ６６は、それぞれ図６のステップＳ２８とＳ２９と同様であり、説明を省略する。ステップＳ６７において、コンテンツ再生部２６５はステップＳ６３で決められた最適な転送データを再生し、フローを終了する。
【０２１２】
〔第３の実施の形態〕
第２の実施の形態では、フォーマットの異なる複数のコンテンツをすべてを受信してから最適なフォーマットを選択し再生していたが、受信したものから順次再生していくことも考えられる。
【０２１３】
なお、本実施形態における携帯電話機３および液晶テレビ８の構成は、コンテンツ再生部２６５が受信したものから順次再生していくように動作する点を除いて第２の実施の形態と同様であるので、コンテンツ再生部２６５の動作以外の説明を省略する。
【０２１４】
本実施形態におけるコンテンツ再生部２６５は、コンテンツが無線通信部１６０で受信されたときに他のフォーマットのコンテンツが無線通信部１６０で受信されるのを待つことなく再生を開始し、その後、他のフォーマットのコンテンツが無線通信部１６０で受信される度に、受信したコンテンツと再生中のコンテンツとの何れがより再生に適したフォーマットであるかを判定し、より再生に適したフォーマットであると判定されたコンテンツを再生するようになっている。
【０２１５】
図１６は、携帯電話機３から転送された複数のフォーマットを、液晶テレビ８が、受信する毎に再生中のフォーマットと比較し、より良いフォーマットに表示を切り替えていく動作を示したフローチャートである。
【０２１６】
この方法では、第２の実施の形態のようにフォーマットの異なる複数のコンテンツの全てを受信完了するのを待つ必要がないため、第２の実施の形態と比較して、転送データ受信開始から最初のコンテンツ表示までの時間短縮に繋がる。また、転送データ記憶部２６８には、再生中の転送データと、最後に受信した転送データとの２つが記憶されるだけで済むので、フォーマットの異なる３つ以上のコンテンツが携帯電話機３から転送される場合には、第３の実施の形態と比較して、メモリ容量を削減できるという効果がある。
【０２１７】
図１６を参照して、このフローは何もコンテンツが再生されていない状態から開始する。ステップＳ７１において、液晶テレビ８は携帯電話機３から赤外線通信部２６２を介して転送データを受信し、転送データ記憶部２６８へ記憶する。
【０２１８】
ステップＳ７２において、転送データ記憶部２６８に新しく記憶された転送データと、現在再生している転送データのフォーマットとを比較して、どちらがより適したものかを判断する。現在再生しているフォーマットの方がより適していると判断された場合には、ステップＳ７４へ進む。転送データ記憶部２６８へ新しく記憶された転送データがより適していると判断された場合には、ステップＳ７３に進む。ステップＳ７３において、コンテンツ再生部２６５は転送データ記憶部２６８に記憶された転送データを再生する。ステップＳ７４において、携帯電話機３からすべての転送データを受信し終えたかを判断する。判断基準は図１５のステップＳ６２と同様とする。すべての転送データを受信し終えてないと判断した場合は、ステップＳ７１へ戻る。すべての転送データを受信したと判断した場合は、フローを終了する。
【０２１９】
第２および第３の実施の形態のシステムでは、以上のように、転送先のコンテンツ受信装置が、通信装置からフォーマットの異なる複数のコンテンツを受信し、これらコンテンツの中から再生に最も適したフォーマットのコンテンツを選択するようになっている。すなわち、第２および第３の実施の形態のシステムでは、再生に最も適したフォーマットのコンテンツを、転送元のコンテンツ受信装置が選択するのではなく転送先のコンテンツ受信装置が選択するようになっている。これは、片方向通信にするためである。片方向通信にすることで、転送速度を向上させることができる。通信装置が片方向通信によって複数のコンテンツの転送を行い、転送先のコンテンツ受信装置が選択を行うシステムは、通信装置が、コンテンツ受信装置との両方向通信によって転送元の通信装置による再生に最も適したフォーマットのコンテンツを選択し、コンテンツ受信装置へ転送するシステムと比較すると、複数のコンテンツを転送するため、コンテンツ受信装置へのデータの転送量は多くなる。しかしながら、片方向通信による転送速度の向上は複数のコンテンツを転送することによるデータ転送量の増大を上回るので、全体としては転送速度を向上させることができる。
【０２２０】
〔第４の実施の形態〕
第２の実施の形態では、コンテンツの転送を受けるコンテンツ受信装置を液晶テレビとしたが、ここではプリンタをコンテンツ受信装置とする例を示す。
【０２２１】
本実施形態におけるプリンタの機能的構成を示すブロック図を、図１７に示す。本実施形態におけるプリンタ（コンテンツ受信装置）８０は、図５に示す液晶テレビ８において、液晶表示部２１０を印刷部（印刷手段）５１０に置き換え、コンテンツ再生部２６５をコンテンツ再生部（コンテンツ再生手段）５６５に置き換えた以外は、液晶テレビ８と同様の構成を備えている。印刷部５１０およびコンテンツ再生部５６５以外の構成要素については説明を省略する。本発明では、コンテンツ再生手段は、スピーカ２１２、ネットワーク通信部２６０、アドレス抽出部２６４、印刷部５１０、およびコンテンツ再生部５６５で構成される。
【０２２２】
印刷部５１０は、ネットワーク通信部２６０および赤外線通信部（コンテンツ受信手段）２６２で受信されたコンテンツを印刷するものである。
【０２２３】
第２の実施の形態におけるコンテンツ再生部２６５は、受信したコンテンツに基づいて液晶表示部２１０に表示しようとする画像イメージのデータを作成し、液晶表示部２１０へ出力していた。これに対し、本実施形態におけるコンテンツ再生部５６５は、受信したコンテンツに基づいて、印刷部５１０で出力しようとする印刷イメージのデータを作成し、印刷部５１０へ出力する。
【０２２４】
本実施形態におけるプリンタの動作は、第２の実施の形態における図１５のフローチャートに示す動作において、ステップＳ６６およびステップＳ６７における液晶表示部２１０への表示に代えて印刷部５１０へ印刷を行う以外は、図１５のフローチャートに示す動作と同様である。他のステップについては、説明を省略する。
【０２２５】
なお、上記の説明では、携帯電話機３がコンテンツの再生機能を持っていたが、携帯電話機３は、コンテンツの再生機能を持たなくてもよい。ただし、転送するコンテンツの内容を携帯電話機３のユーザが確認できることから、携帯電話機３は、コンテンツの再生機能を持っていることが好ましい。
【０２２６】
また、上記の説明では、携帯電話機３がＩｒＳＣ通信によりコンテンツを転送するようになっていたが、コンテンツを転送するのに利用する通信方式は特に限定されない。ただし、コンテンツを転送するのに利用する通信方式は、片方向通信、特にＩｒＳＣ通信であることが好ましい。これにより、両方向通信を用いる場合と比較して、コンテンツを転送するための通信手順を簡素化することができるので、コンテンツの転送速度を向上させることができる。また、コンテンツを転送するのに利用する通信方式は、無線通信、特にＩｒＳＣ通信であることが好ましい。これにより、有線通信の場合のように、ケーブルの取り付けおよび取り外し、メモリカードの抜き差し、などといった煩わしい操作を必要としない。
【０２２７】
また、携帯電話機３は、受信するコンテンツに音声コンテンツが含まれないのであれば、スピーカ２１２を備えていなくてもよい。
【０２２８】
また、本発明に係る通信装置は、コンテンツをコンテンツ配信装置からネットワーク経由で取得し、コンテンツを加工してコンテンツ受信装置へ転送する機能を備えるものであればよく、携帯電話機３以外の装置、例えば、ＰＤＡ、ノート型コンピュータなどの携帯通信装置；デスクトップ型コンピュータなどの据置型通信装置であってもよい。ただし、コンテンツの転送は、ユーザが外出先で通信装置を使用している時に利用価値が高いので、本発明の通信装置は、携帯通信装置に適用した場合に特に利用価値が高い。
【０２２９】
また、上記したいずれの実施の形態においても、通信装置（携帯電話機３）が取得するコンテンツや、通信装置（携帯電話機３）がコンテンツ受信装置（液晶テレビ８またはおよびプリンタ）転送するコンテンツとしては、ウェブページ、画像データ、動画データ、音楽データ以外の、種々のコンテンツを利用することもできる。
【０２３０】
転送先のコンテンツ受信装置は、液晶テレビおよびプリンタに限らず、ハードディスク付ＤＶＤレコーダ、オーディオシステム、携帯電話機、ＰＤＡなどの（携帯電話機以外の）携帯情報装置、ファクシミリ装置、カーナビゲーション装置などを受信装置として用いることも可能である。
【０２３１】
転送先のコンテンツ受信装置は、ネットワーク接続機能をもつ装置であることが好ましい。転送先のコンテンツ受信装置が、ネットワーク経由でオリジナルコンテンツの配信装置にアクセスすることができれば、アドレス追加部１８７によってオリジナルコンテンツを取得するためのアドレスが埋め込まれたコンテンツを受信したときに、そのアドレスに基づいてオリジナルコンテンツをその配信装置から取得することができる。したがって、オリジナルコンテンツに含まれるインラインコンテンツやリンクのアドレスが相対アドレスで記述されていても、インラインコンテンツやリンクを利用することができる。また、転送先のコンテンツ受信装置が、ネットワーク接続機能を持っていれば、リンク修正部１８６によって修正されたリンクを含むコンテンツを受信したときに、リンクを利用することができる。また、転送先のコンテンツ受信装置が、ネットワーク接続機能を持っていれば、インラインコンテンツアドレス修正部１８８によって修正されたインラインコンテンツアドレスを含むコンテンツを受信したときに、インラインコンテンツを利用することができる。
【０２３２】
ここで開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【０２３３】
なお、本発明は、以下のようにも表現できる。
【０２３４】
〔０〕ネットワークからコンテンツを、原型を保った形で取得し、前記取得したコンテンツを、転送先で原型を復元するための情報を付加するよう、加工する通信装置。
【０２３５】
ここで付加される情報は、元のコンテンツを取得するアドレスや、転送先で正しくリンクがたどれるためのアドレス修正情報である。前記加工されたコンテンツは、電子装置に転送され、電子装置がコンテンツの原型を復元する。電子装置によるコンテンツの復元では、転送されたコンテンツから転送元で付加された原型を復元するための情報を抽出する。
【０２３６】
〔１〕ネットワークからコンテンツを、原型を保った形で取得するコンテンツ取得手段と、前記取得したコンテンツを、転送先で原型を復元するための情報を付加するコンテンツ加工手段と、前記加工されたコンテンツを、電子装置に転送するコンテンツ転送手段と、を備える通信装置。
【０２３７】
ここで、「原型の復元」とは、「原型が意図した形で再生する」ことを指す。「原型のコンテンツを取得できるようにする」構成も、「リンクが相対アドレスで記述されていても、リンク先のコンテンツを取得できる」構成も、「コンテンツを構成するすべての要素を１つのコンテンツにする」構成も、すべて「原型の意図した形で再生する」ことが可能であるので、〔１〕の構成に含まれる。
【０２３８】
上記〔１〕の発明によれば、携帯電話機、ＰＤＡ等の携帯可能な通信装置により取得されたコンテンツをテレビ、プリンタ等の電子装置で使用する際にコンテンツの完全な形での再利用と、通信手順の簡素化が可能な通信装置および電子装置を提供できる。
【０２３９】
〔２〕上記〔１〕において、前記コンテンツ加工手段は、転送先の電子装置で正しくリンクがたどれるための修正である通信装置。
【０２４０】
〔３〕上記〔１〕において、前記コンテンツ加工手段は、当該コンテンツを取得するためのアドレスを追加することを含む通信装置。
【０２４１】
〔４〕上記〔１〕において、ネットワークから取得した２つ以上のコンテンツデータを１つにまとめるコンテンツ統合手段を含む通信装置。
【０２４２】
〔５〕上記〔１〕において、前記コンテンツ加工手段は、フォーマット変換手段（MP3タグやJPEGタグを取り出すなど、元のコンテンツフォーマットとは異質なものに置換する；画像圧縮、音声化など）を含む通信装置。
【０２４３】
〔６〕上記〔５〕において、前記フォーマット変換手段は、当該コンテンツの一部もしくは全部の画面イメージを圧縮する画像変換手段である通信装置。
【０２４４】
〔７〕上記〔５〕において、前記フォーマット変換手段は、当該コンテンツの一部もしくは全部を音声化する音声変換手段である通信装置。
【０２４５】
〔８〕上記〔５〕において、前記フォーマット変換手段は、当該コンテンツの特徴を抽出する手段と、当該特徴をコンテンツとして作成する作成手段を有するフォーマット変換手段である通信装置。
【０２４６】
〔９〕上記〔５〕において、前記取得したコンテンツを他の電子装置へ転送する場合に、取得したコンテンツのフォーマットを変えずに転送するか、前記フォーマット変換手段により、変換されたコンテンツを転送するか、または両方を転送するのかを選択可能である通信装置。
【０２４７】
〔１０〕上記〔１〕〜〔９〕の何れかにおいて、携帯電話機である通信装置。
【０２４８】
〔１１〕上記〔１〕の通信装置からコンテンツの転送を受ける、コンテンツ受信手段と、前記受信したコンテンツの原型を復元する、コンテンツ復元手段と、を備える電子装置。
【０２４９】
〔１２〕上記〔１０〕において、転送されたコンテンツに当該コンテンツを取得するためのアドレスが含まれる場合、ネットワークから当該コンテンツを、自動的に取得する電子装置。
【０２５０】
〔１３〕上記〔１０〕において、転送されたコンテンツに当該コンテンツを取得するためのアドレスが含まれる場合、ネットワークから当該コンテンツを取得するか、ユーザに判断を促す電子装置。
【０２５１】
〔１４〕上記〔１０〕において、前記コンテンツ受信手段を通じて複数のフォーマットのコンテンツを受信する場合、利用に最も適したフォーマットを選択して再生する電子装置。
【０２５２】
〔１５〕上記〔１１〕〜〔１４〕の何れかにおいて、テレビである通信装置。
【０２５３】
〔１６〕上記〔１１〕〜〔１４〕の何れかにおいて、プリンタである通信装置。
【産業上の利用可能性】
【０２５４】
本発明は、通信ネットワークを介してコンテンツを取得し、取得されたコンテンツを加工してテレビやプリンタなどのコンテンツ受信装置へ転送する携帯電話機やＰＤＡなどの通信装置、コンテンツ転送プログラム、および記録媒体において、コンテンツ受信装置においてより完全な形でのコンテンツ再利用を可能とする技術として利用できる。また、本発明は、通信装置からコンテンツを受信するテレビやプリンタなどのコンテンツ受信装置を提供する技術として利用できる。
【図面の簡単な説明】
【０２５５】
【図１】本発明の一実施形態に係る携帯電話機の機能的構成を示すブロック図である。
【図２】本発明の一実施形態に係る通信システムの概略構成を示す図である。
【図３】図２中の携帯電話機の動作の概略を説明する模式図である。
【図４】本発明の第１の実施形態における携帯電話機の動作を示したフローチャートである。
【図５】図２中の液晶テレビの機能的構成を示すブロック図である。
【図６】本発明の第１の実施形態における液晶テレビの動作を示したフローチャートである。
【図７】本発明の第１の実施形態におけるコンテンツ加工動作設定の内容である。
【図８】本発明の第１の実施形態におけるコンテンツ加工部の動作を示したフローチャートである。
【図９】（ａ）（ｂ）は、本発明の一実施形態におけるアドレス追加の概略を説明する模式図である。
【図１０】（ａ）（ｂ）は、本発明の一実施形態におけるリンク修正の概略を説明する模式図である。
【図１１】本発明の一実施形態におけるコンテンツ統合の概略を説明する模式図である。
【図１２】本発明の一実施形態におけるフォーマット変換の概略を説明する模式図である。
【図１３】本発明の第２の実施形態におけるコンテンツ加工動作設定の内容である。
【図１４】本発明の第２の実施形態におけるコンテンツ加工部の動作を示したフローチャートである。
【図１５】本発明の第２の実施形態における液晶テレビの動作を示したフローチャートである。
【図１６】本発明の第３の実施形態における液晶テレビの動作を示したフローチャートである。
【図１７】本発明の第４の実施形態におけるプリンタの機能的構成を示すブロック図である。
【符号の説明】
【０２５６】
１    コンテンツサーバ（コンテンツ配信装置、配信装置）
３    携帯電話機（通信装置）
４    ＩｒＳＣ通信（片方向通信）
５    ＩｒＳＣ通信部（コンテンツ受信手段）
６    リモートコントローラ
８    液晶テレビ（コンテンツ受信装置）
９    赤外線受光部（コンテンツ転送手段）
２０    携帯電話網およびインターネット（ネットワーク）
４０    ウェブページ（コンテンツ）
４２    画像
５０    ウェブページのソースコード（リンク含有コンテンツ、複合コンテンツ）
８０    プリンタ（コンテンツ受信装置）
１１０    液晶表示部（表示装置）
１６０    無線通信部（コンテンツ取得手段）
１６１    キー入力部
１６２    赤外線通信部（コンテンツ転送手段）
１６５    コンテンツ表示部（再生データ作成手段、表示画像作成手段）
１６４    コンテンツ加工部（コンテンツ加工手段）
１８２    フォーマット変換部（フォーマット変換手段）
１８３    コンテンツ統合部（コンテンツ統合手段）
１８４    転送データ作成部（データ転送手段）
１８５    コンテンツ加工動作設定記憶部
１８６    リンク修正部
１８７    アドレス追加部
２１０    液晶表示部（コンテンツ再生手段、表示手段）
２１２    スピーカ（コンテンツ再生手段）
２６０    ネットワーク通信部（コンテンツ再生手段、第１の取得手段又は第２の取得手段）
２６１    リモコン入力部
２６２    赤外線通信部（コンテンツ受信手段）
２６４    アドレス抽出部（コンテンツ再生手段、第１の取得手段又は第２の取得手段）
２６５    コンテンツ再生部（コンテンツ再生手段）
５１０    印刷部（コンテンツ再生手段、印刷手段）
５６５    コンテンツ再生部（コンテンツ再生手段）
【図１】
0004627228.tif 000002
【図２】
0004627228.tif 000003
【図３】
0004627228.tif 000004
【図４】
0004627228.tif 000005
【図５】
0004627228.tif 000006
【図６】
0004627228.tif 000007
【図７】
0004627228.tif 000008
【図８】
0004627228.tif 000009
【図９】
0004627228.tif 000010
【図１０】
0004627228.tif 000011
【図１１】
0004627228.tif 000012
【図１２】
0004627228.tif 000013
【図１３】
0004627228.tif 000014
【図１４】
0004627228.tif 000015
【図１５】
0004627228.tif 000016
【図１６】
0004627228.tif 000017
【図１７】
0004627228.tif 000018